(57)【特許請求の範囲】
【請求項１】
各遊技場に設置された遊技機に対応して設けられ、当該遊技場において来店者に対し複数の告知情報を表示する表示手段を有する情報表示装置と、当該告知情報に関する詳細情報を前記来店者の電子メールアドレスに送信する詳細情報送信サービスを提供する管理サーバと、を備える情報提供システムにおいて、
前記情報表示装置は、
各遊技場における会員を個々に識別可能な会員識別情報が記録され、当該会員が会員登録を行った遊技場にて発行される会員用記録媒体を受付けて、該会員用記録媒体に記録されている前記会員識別情報を含む記録情報を少なくとも読み出す会員記録媒体読み出し手段と、
前記管理サーバへの前記詳細情報送信サービスの利用登録を行った登録利用者に付与される記録媒体を受付けて、該受付けた記録媒体に記憶されている当該記録媒体を個々に識別可能な記録媒体識別情報を読み取る記録媒体読取手段と、
を有し、
前記管理サーバは、
各遊技場に設置された前記情報表示装置にデータ通信可能に接続され、
各遊技場の前記会員識別情報に対応付けて当該会員の電子メールアドレスを少なくとも含む会員情報を管理し、前記記録媒体識別情報に対応付けて該記録媒体識別情報が記憶された記録媒体が付与された登録利用者の電子メールアドレスを管理するとともに、前記告知情報を特定可能な告知情報特定情報に対応付けて当該告知情報に関する詳細情報を特定可能な詳細情報特定情報を記憶し、
前記情報表示装置は、前記会員用記録媒体を前記会員記録媒体読み出し手段に受付けているときに、詳細情報を要求するための所定操作を会員から受付けたことに基づいて、当該操作時点において前記表示手段に表示している告知情報の告知情報特定情報と該受付けている会員用記録媒体の会員識別情報とを含む詳細情報配信要求を前記管理サーバに送信し、前記会員用記録媒体を前記会員記録媒体読み出し手段に受付けていないときに、前記記録媒体読取手段にて記録媒体を受付けたことに基づいて、該操作時点において前記表示手段に表示している告知情報の告知情報特定情報と該受付けた記録媒体から読み取った記録媒体識別情報とを含む詳細情報配信要求を前記管理サーバに送信し、
前記管理サーバは、前記詳細情報配信要求を受信したことを条件として、該受信した詳細情報配信要求に含まれる告知情報特定情報に対応付けて記憶されている詳細情報特定情報から特定される詳細情報を含む電子メールを、該受信した詳細情報配信要求に含まれる会員識別情報若しくは記録媒体識別情報に対応付けて管理されている電子メールアドレスに対して送信するための処理を行い、
前記情報表示装置は、
前記表示手段に表示する前記告知情報の種類および／または表示順序が、会員に適応するように設定された会員用決定テーブル並びに非会員に適応するように設定された非会員用決定テーブルを記憶するテーブル記憶手段と、
前記表示手段に表示する前記告知情報の種類および／または表示順序を、前記会員記録媒体読み出し手段に前記会員用記録媒体を受付けているときにおいては前記会員用決定テーブルを用いて決定し、前記会員記録媒体読み出し手段に前記会員用記録媒体を受付けていないときにおいては前記非会員用決定テーブルを用いて決定する決定手段と、
を有し、該決定手段にて決定した告知情報を前記表示手段に表示し、
前記遊技機の稼働・非稼働を判定する稼働状況判定手段と、
前記告知情報を稼働状態において来店者に告知する稼働告知情報と、非稼働状態において来店者に告知する非稼働告知情報とに分類設定する分類設定手段と、
を備え、
前記情報表示装置は、
前記稼働状況判定手段による判定結果が稼働状態であるときには、前記分類設定手段にて設定された前記稼働告知情報を前記表示手段に表示する一方、前記稼働状況判定手段による判定結果が非稼働状態であるときには、前記分類設定手段にて設定された前記非稼働告知情報を前記表示手段に表示する
ことを特徴とする情報提供システム。
【請求項２】
各遊技場に設置された遊技機に対応して設けられ、来店者に対し複数の告知情報を表示する表示手段を有する情報表示装置と、当該告知情報に関する詳細情報を前記来店者の電子メールアドレスに送信する詳細情報送信サービスを提供する管理サーバと、を備える情報提供システムにおいて、
前記遊技機の稼働・非稼働を判定する稼働状況判定手段を備え、
前記情報表示装置は、
各遊技場における会員を個々に識別可能な会員識別情報が記録され、当該会員が会員登録を行った遊技場にて発行される会員用記録媒体を受付けて、該会員用記録媒体に記録されている前記会員識別情報を含む記録情報を少なくとも読み出す会員記録媒体読み出し手段と、
前記管理サーバへの前記詳細情報送信サービスの利用登録を行った登録利用者に付与される記録媒体を受付けて、該受付けた記録媒体に記憶されている当該記録媒体を個々に識別可能な記録媒体識別情報を読み取る記録媒体読取手段と、
を有し、
前記管理サーバは、
各遊技場に設置された前記情報表示装置にデータ通信可能に接続され、
各遊技場の前記会員識別情報に対応付けて当該会員の電子メールアドレスを少なくとも含む会員情報を管理し、前記記録媒体識別情報に対応付けて該記録媒体識別情報が記憶された記録媒体が付与された登録利用者の電子メールアドレスを管理するとともに、前記告知情報を特定可能な告知情報特定情報に対応付けて当該告知情報に関する詳細情報を特定可能な詳細情報特定情報を記憶し、
前記情報表示装置は、前記会員用記録媒体を前記会員記録媒体読み出し手段に受付けているときに、詳細情報を要求するための所定操作を会員から受付けたことに基づいて、当該操作時点において前記表示手段に表示している告知情報の告知情報特定情報と該受付けている会員用記録媒体の会員識別情報とを含む詳細情報配信要求を前記管理サーバに送信し、前記会員用記録媒体を前記会員記録媒体読み出し手段に受付けていないときに、前記記録媒体読取手段にて記録媒体を受付けたことに基づいて、該操作時点において前記表示手段に表示している告知情報の告知情報特定情報と該受付けた記録媒体から読み取った記録媒体識別情報とを含む詳細情報配信要求を前記管理サーバに送信し、
前記管理サーバは、前記詳細情報配信要求を受信したことを条件として、該受信した詳細情報配信要求に含まれる告知情報特定情報に対応付けて記憶されている詳細情報特定情報から特定される詳細情報を含む電子メールを、該受信した詳細情報配信要求に含まれる会員識別情報若しくは記録媒体識別情報に対応付けて管理されている電子メールアドレスに対して送信するための処理を行い、
前記情報表示装置は、
前記表示手段に表示する前記告知情報の種類および／または表示順序が、対応する遊技機が稼働状態であることに適応するように設定された稼働用決定テーブル並びに非稼働状態であることに適応するように設定された非稼働用決定テーブルを記憶するテーブル記憶手段と、
前記表示手段に表示する前記告知情報の種類および／または表示順序を、前記稼働状況判定手段による判定結果が稼働状態であるときにおいては前記稼働用決定テーブルを用いて決定し、前記稼働状況判定手段による判定結果が非稼働状態であるときにおいては前記非稼働用決定テーブルを用いて決定する決定手段と、
を有し、該決定手段にて決定した告知情報を前記表示手段に表示する、
ことを特徴とする情報提供システム。
【請求項３】
前記詳細情報を、前記電子メールにて送信するか或いは前記表示手段に表示するかを各詳細情報毎に設定する提供形態設定手段を備え、
前記情報表示装置は、前記提供形態設定手段にて前記表示手段に表示する設定がなされた詳細情報を取得する詳細情報取得手段と、前記所定操作の操作時点において前記表示手段に表示している告知情報に対応する詳細情報が、前記提供形態設定手段により前記表示手段に表示する設定がなされた詳細情報であるときには、該詳細情報を前記表示手段に表示することを特徴とする請求項１または２に記載の情報提供システム。
【請求項４】
各告知情報の告知を行う会員に関する告知条件を記憶する告知条件記憶手段をさらに備え、
前記会員記録媒体読み出し手段に受付けている前記会員用記録媒体の会員識別情報に対応付けて前記管理サーバにて管理されている会員情報が前記告知条件記憶手段にて記憶されている告知条件に合致する告知情報を、当該会員に告知する会員告知情報として特定する会員告知情報特定手段を備え、
前記情報表示装置は、前記会員告知情報特定手段にて特定された会員告知情報を前記表示手段に表示することを特徴とする請求項１〜３のいずれかに記載の情報提供システム。
【請求項５】
前記情報表示装置は、インターネット接続機能を有する携帯端末を受付けて、該受付けた携帯端末とのデータ通信を行う携帯端末通信手段を備え、
前記情報表示装置は、前記携帯端末通信手段に前記携帯端末を受付けたことに基づいて、当該受付時点において表示している告知情報の詳細情報が公開されているホームページへのアクセスを可能とするアクセス情報を、該受付けた携帯端末に前記携帯端末通信手段を通じて送信することを特徴とする請求項１〜４のいずれかに記載の情報提供システム。
【請求項６】
前記管理サーバは、新たに管理される電子メールアドレスが既に会員識別情報または記録媒体識別情報に対応付けて記憶されているか否かを判定し、既に記憶されていると判定したときには、該記憶されている会員識別情報または記録媒体識別情報に対応付けて新たな記録媒体識別情報または会員識別情報を記憶することを特徴とする請求項１〜５のいずれかに記載の情報提供システム。
【発明の詳細な説明】
【技術分野】
【０００１】
本発明は、遊技場等の店舗において、当該店舗において会員登録した会員や、会員以外の来店者（非会員）に告知情報を提供するとともに、これら告知情報の提供を受けた来店者が、会員や非会員に依ることなく該告知情報に関する詳細情報を取得することのできる情報提供システムに関する。
【背景技術】
【０００２】
従来、店舗である遊技場に設置された情報提供装置付遊技場装置において、当該情報提供装置付遊技場装置にて受付けた会員カードの所有者の属性情報に合致するＣＭ情報を情報提供装置に表示するとともに、該会員カードの所有者が資料請求ボタンを操作すると、当該表示されているＣＭ情報に関する資料がダイレクトメールや電子メール等により提供されるものがある（例えば、特許文献１参照）。
【０００３】
また、利用者に付与されるＩＣタグに記憶されたタグＩＤと該利用者の電子メールアドレスとを予め情報管理センタに登録しておき、入場ゲートに隣接して設けられたＩＣタグ読み取り装置にて入場ゲートから入場する来場者のＩＣタグのタグＩＤを読み取って、情報管理センタに設置されているサーバに送信することで、情報管理センタから予め登録されている利用者の電子メールアドレスにイベント情報が送信されるものがある（例えば、特許文献２参照）。
【０００４】
【特許文献１】特開２００２−１３６７５６号公報（第５頁、第５図）
【特許文献２】特開２００４−７０６１６号公報（第６頁、第７図）
【発明の開示】
【発明が解決しようとする課題】
【０００５】
しかしながら、特許文献１に開示されている情報提供システムにおいては、当該遊技場（店舗）の会員であれば資料請求ボタンを操作することで、ＣＭ情報に関する資料を入手することができるが、他の遊技場（店舗）にて会員となっている遊技者（来店者）は資料を入手することができず、これらの資料を入手するには、当該遊技場（店舗）において改めて会員登録を行わなければならず不便であると共に、住所や氏名、年齢や電話番号等の会員情報となる個人情報を提供して遊技場（店舗）で会員登録を行いたくない遊技者（来店者）は、ＣＭ情報に関する資料を入手することができず、利便性が低下する一方、特許文献２に開示されているシステムを用いて、イベント情報等の詳細情報を提供する場合にあっては、当該遊技場（店舗）の会員・非会員に係わらず、前述のＩＣタグ（記録媒体）を所持していれば詳細情報を入手することができるものの、既に当該遊技場（店舗）に会員登録している会員も、改めてＩＣタグ（記録媒体）の付与を受けるために情報管理センタに電子メールアドレスを登録しなければならず不便であるという問題があった。
【０００６】
本発明は、このような問題点に着目してなされたもので、既に店舗に会員登録した会員が改めて登録する必要がなく、且つ、会員以外の来店者も当該店舗の会員となることなく詳細情報を取得することのできる情報提供システムを提供することを目的とする。
【課題を解決するための手段】
【０００７】
上記課題を解決するために、本発明の請求項１に記載の情報提供システムは、
各遊技場に設置された遊技機に対応して設けられ、当該遊技場において来店者に対し複数の告知情報を表示する表示手段を有する情報表示装置と、当該告知情報に関する詳細情報を前記来店者の電子メールアドレスに送信する詳細情報送信サービスを提供する管理サーバと、を備える情報提供システムにおいて、
前記情報表示装置は、
各遊技場における会員を個々に識別可能な会員識別情報が記録され、当該会員が会員登録を行った遊技場にて発行される会員用記録媒体を受付けて、該会員用記録媒体に記録されている前記会員識別情報を含む記録情報を少なくとも読み出す会員記録媒体読み出し手段と、
前記管理サーバへの前記詳細情報送信サービスの利用登録を行った登録利用者に付与される記録媒体を受付けて、該受付けた記録媒体に記憶されている当該記録媒体を個々に識別可能な記録媒体識別情報を読み取る記録媒体読取手段と、
を有し、
前記管理サーバは、
各遊技場に設置された前記情報表示装置にデータ通信可能に接続され、
各遊技場の前記会員識別情報に対応付けて当該会員の電子メールアドレスを少なくとも含む会員情報を管理し、前記記録媒体識別情報に対応付けて該記録媒体識別情報が記憶された記録媒体が付与された登録利用者の電子メールアドレスを管理するとともに、前記告知情報を特定可能な告知情報特定情報に対応付けて当該告知情報に関する詳細情報を特定可能な詳細情報特定情報を記憶し、
前記情報表示装置は、前記会員用記録媒体を前記会員記録媒体読み出し手段に受付けているときに、詳細情報を要求するための所定操作を会員から受付けたことに基づいて、当該操作時点において前記表示手段に表示している告知情報の告知情報特定情報と該受付けている会員用記録媒体の会員識別情報とを含む詳細情報配信要求を前記管理サーバに送信し、前記会員用記録媒体を前記会員記録媒体読み出し手段に受付けていないときに、前記記録媒体読取手段にて記録媒体を受付けたことに基づいて、該操作時点において前記表示手段に表示している告知情報の告知情報特定情報と該受付けた記録媒体から読み取った記録媒体識別情報とを含む詳細情報配信要求を前記管理サーバに送信し、
前記管理サーバは、前記詳細情報配信要求を受信したことを条件として、該受信した詳細情報配信要求に含まれる告知情報特定情報に対応付けて記憶されている詳細情報特定情報から特定される詳細情報を含む電子メールを、該受信した詳細情報配信要求に含まれる会員識別情報若しくは記録媒体識別情報に対応付けて管理されている電子メールアドレスに対して送信するための処理を行い、
前記情報表示装置は、
前記表示手段に表示する前記告知情報の種類および／または表示順序が、会員に適応するように設定された会員用決定テーブル並びに非会員に適応するように設定された非会員用決定テーブルを記憶するテーブル記憶手段と、
前記表示手段に表示する前記告知情報の種類および／または表示順序を、前記会員記録媒体読み出し手段に前記会員用記録媒体を受付けているときにおいては前記会員用決定テーブルを用いて決定し、前記会員記録媒体読み出し手段に前記会員用記録媒体を受付けていないときにおいては前記非会員用決定テーブルを用いて決定する決定手段と、
を有し、該決定手段にて決定した告知情報を前記表示手段に表示し、
前記遊技機の稼働・非稼働を判定する稼働状況判定手段と、
前記告知情報を稼働状態において来店者に告知する稼働告知情報と、非稼働状態において来店者に告知する非稼働告知情報とに分類設定する分類設定手段と、
を備え、
前記情報表示装置は、
前記稼働状況判定手段による判定結果が稼働状態であるときには、前記分類設定手段にて設定された前記稼働告知情報を前記表示手段に表示する一方、前記稼働状況判定手段による判定結果が非稼働状態であるときには、前記分類設定手段にて設定された前記非稼働告知情報を前記表示手段に表示する
ことを特徴としている。
この特徴によれば、遊技場において既に会員登録した会員は、改めて他の遊技場で会員登録を行ったり、詳細情報送信サービスへ利用登録を行うことなく自身の会員用記録媒体を使用して、会員登録した遊技場以外の他の遊技場においても詳細情報を取得できるので、会員の利便性を向上できるとともに、会員情報となる個人情報を提供して遊技場で会員登録までは行いたくないが詳細情報を入手したい人（ビジター）も、詳細情報送信サービスの利用登録をすることで付与される記録媒体を使用して、各遊技場にて詳細情報を取得できるので、会員以外のビジターの利便性も向上できる。また、会員と非会員とで異なる種類および／または異なる順序にて告知情報を表示できるとともに、遊技機の稼働中に見合った告知情報を稼働告知情報に分類設定し、遊技機の非稼働中に見合った告知情報を非稼働告知情報に分類設定することで、遊技機の稼働中・非稼働中、すなわち、来店者の遊技中・非遊技中の遊技状況に応じた適切な告知情報を告知することができる。
【０００８】
本発明の請求項２に記載の情報提供システムは、
各遊技場に設置された遊技機に対応して設けられ、来店者に対し複数の告知情報を表示する表示手段を有する情報表示装置と、当該告知情報に関する詳細情報を前記来店者の電子メールアドレスに送信する詳細情報送信サービスを提供する管理サーバと、を備える情報提供システムにおいて、
前記遊技機の稼働・非稼働を判定する稼働状況判定手段を備え、
前記情報表示装置は、
各遊技場における会員を個々に識別可能な会員識別情報が記録され、当該会員が会員登録を行った遊技場にて発行される会員用記録媒体を受付けて、該会員用記録媒体に記録されている前記会員識別情報を含む記録情報を少なくとも読み出す会員記録媒体読み出し手段と、
前記管理サーバへの前記詳細情報送信サービスの利用登録を行った登録利用者に付与される記録媒体を受付けて、該受付けた記録媒体に記憶されている当該記録媒体を個々に識別可能な記録媒体識別情報を読み取る記録媒体読取手段と、
を有し、
前記管理サーバは、
各遊技場に設置された前記情報表示装置にデータ通信可能に接続され、
各遊技場の前記会員識別情報に対応付けて当該会員の電子メールアドレスを少なくとも含む会員情報を管理し、前記記録媒体識別情報に対応付けて該記録媒体識別情報が記憶された記録媒体が付与された登録利用者の電子メールアドレスを管理するとともに、前記告知情報を特定可能な告知情報特定情報に対応付けて当該告知情報に関する詳細情報を特定可能な詳細情報特定情報を記憶し、
前記情報表示装置は、前記会員用記録媒体を前記会員記録媒体読み出し手段に受付けているときに、詳細情報を要求するための所定操作を会員から受付けたことに基づいて、当該操作時点において前記表示手段に表示している告知情報の告知情報特定情報と該受付けている会員用記録媒体の会員識別情報とを含む詳細情報配信要求を前記管理サーバに送信し、前記会員用記録媒体を前記会員記録媒体読み出し手段に受付けていないときに、前記記録媒体読取手段にて記録媒体を受付けたことに基づいて、該操作時点において前記表示手段に表示している告知情報の告知情報特定情報と該受付けた記録媒体から読み取った記録媒体識別情報とを含む詳細情報配信要求を前記管理サーバに送信し、
前記管理サーバは、前記詳細情報配信要求を受信したことを条件として、該受信した詳細情報配信要求に含まれる告知情報特定情報に対応付けて記憶されている詳細情報特定情報から特定される詳細情報を含む電子メールを、該受信した詳細情報配信要求に含まれる会員識別情報若しくは記録媒体識別情報に対応付けて管理されている電子メールアドレスに対して送信するための処理を行い、
前記情報表示装置は、
前記表示手段に表示する前記告知情報の種類および／または表示順序が、対応する遊技機が稼働状態であることに適応するように設定された稼働用決定テーブル並びに非稼働状態であることに適応するように設定された非稼働用決定テーブルを記憶するテーブル記憶手段と、
前記表示手段に表示する前記告知情報の種類および／または表示順序を、前記稼働状況判定手段による判定結果が稼働状態であるときにおいては前記稼働用決定テーブルを用いて決定し、前記稼働状況判定手段による判定結果が非稼働状態であるときにおいては前記非稼働用決定テーブルを用いて決定する決定手段と、
を有し、該決定手段にて決定した告知情報を前記表示手段に表示する、
ことを特徴としている。
この特徴によれば、遊技場において既に会員登録した会員は、改めて他の遊技場で会員登録を行ったり、詳細情報送信サービスへ利用登録を行うことなく自身の会員用記録媒体を使用して、会員登録した遊技場以外の他の遊技場においても詳細情報を取得できるので、会員の利便性を向上できるとともに、会員情報となる個人情報を提供して遊技場で会員登録までは行いたくないが詳細情報を入手したい人（ビジター）も、詳細情報送信サービスの利用登録をすることで付与される記録媒体を使用して、各遊技場にて詳細情報を取得できるので、会員以外のビジターの利便性も向上できる。また、遊技機の稼働と非稼働とで異なる種類および／または異なる順序にて告知情報を表示できる。
【００１０】
本発明の請求項３に記載の情報提供システムは、請求項１または２に記載の情報提供システムであって、
前記詳細情報を、前記電子メールにて送信するか或いは前記表示手段に表示するかを各詳細情報毎に設定する提供形態設定手段を備え、
前記情報表示装置は、前記提供形態設定手段にて前記表示手段に表示する設定がなされた詳細情報を取得する詳細情報取得手段と、前記所定操作の操作時点において前記表示手段に表示している告知情報に対応する詳細情報が、前記提供形態設定手段により前記表示手段に表示する設定がなされた詳細情報であるときには、該詳細情報を前記表示手段に表示することを特徴としている。
この特徴によれば、詳細情報の内容によっては、該詳細情報を電子メールにて提供する必要がなく、且つ、その場において来店者に提供することが好ましいものもあるので、これらの詳細情報を表示手段に表示する詳細情報として設定することで、不必要な電子メールの送信を低減できるとともに、迅速性を要する詳細情報を迅速に来店者に提供できる。
【００１１】
本発明の請求項４に記載の情報提供システムは、請求項１〜３のいずれかに記載の情報提供システムであって、
各告知情報の告知を行う会員に関する告知条件を記憶する告知条件記憶手段をさらに備え、
前記会員記録媒体読み出し手段に受付けている前記会員用記録媒体の会員識別情報に対応付けて前記管理サーバにて管理されている会員情報が前記告知条件記憶手段にて記憶されている告知条件に合致する告知情報を、当該会員に告知する会員告知情報として特定する会員告知情報特定手段を備え、
前記情報表示装置は、前記会員告知情報特定手段にて特定された会員告知情報を前記表示手段に表示することを特徴としている。
この特徴によれば、会員情報が合致する告知条件、例えば、会員が女性であれば、女性に見合った告知情報が表示されるので、女性に男性用の商品等に関する告知をするように、会員に不適切な告知をすることを極力回避でき、効率のよい告知を実施することができる。
【００１２】
本発明の請求項５に記載の情報提供システムは、請求項１〜４のいずれかに記載の情報提供システムであって、
前記情報表示装置は、インターネット接続機能を有する携帯端末を受付けて、該受付けた携帯端末とのデータ通信を行う携帯端末通信手段を備え、
前記情報表示装置は、前記携帯端末通信手段に前記携帯端末を受付けたことに基づいて、当該受付時点において表示している告知情報の詳細情報が公開されているホームページへのアクセスを可能とするアクセス情報を、該受付けた携帯端末に前記携帯端末通信手段を通じて送信することを特徴としている。
この特徴によれば、インターネット接続機能を有する携帯端末を所持する来店者は、詳細情報を含む電子メールに代えて、該携帯端末に情報表示装置からアクセス情報が送信されるので、当該アクセス情報から詳細情報を公開しているホームページへアクセスでき、詳細情報を含む電子メールの受信を待つことなく、素早く詳細情報を入手することができる。
本発明の請求項６に記載の情報提供システムは、請求項１〜５のいずれかに記載の情報提供システムであって、
前記管理サーバは、新たに管理される電子メールアドレスが既に会員識別情報または記録媒体識別情報に対応付けて記憶されているか否かを判定し、既に記憶されていると判定したときには、該記憶されている会員識別情報または記録媒体識別情報に対応付けて新たな記録媒体識別情報または会員識別情報を記憶することを特徴としている。
この特徴によれば、重複して同一の電子メールアドレスが管理（記憶）されることがないので、不必要に記憶容量が大きくなることを防止できる。
【発明を実施するための最良の形態】
【００１３】
本発明の実施例を以下に説明する。尚、以下の実施例においては、店舗として遊技場を対象とした例を示すが、本発明はこれに限定されるものではなく、これら遊技場以外の店舗にも本発明を適用できることはいうまでもない。
【実施例】
【００１４】
図１は、本発明が適用された本実施例の情報提供システムの構成を示すシステムブロック図であり、本実施例の情報提供システムは、該図１に示すように、店舗としての遊技場内に設置された複数の遊技機であるパチンコ機２に対して１対１に対応して設けられ、パチンコ機２におけるパチンコ玉を貸し出すための貸出処理や本発明の告知情報となるポスターＣＭの告知映像を表示して来店者に告知（広告）するカードユニット３と、これらカードユニット３にデータ通信可能に接続され、該接続されている各カードユニット３の管理や、当該遊技場におけるプリペイドカードや会員登録した会員に対して該遊技場にて発行された会員カードに残存する遊技用残額や、会員が所有する貯玉や属性情報等の会員情報等の管理を行うシステムコントローラ１１０を有している。尚、各遊技場のシステムコントローラ１１０は、各遊技場において使用されるプリペイドカードや会員カードの管理を実施するカード管理会社に設置されている管理サーバ１４に接続されており、これらシステムコントローラ１１０において収集、管理された各種売上や各プリペイドカードや会員カードに残存する遊技用残額や、各会員の会員情報（属性情報）等の情報が、管理サーバ１４において集中管理されるようになっている。
【００１５】
これら遊技場内に設置されたシステムコントローラ１１０や、カードユニット３は、通信ケーブルを介して双方向のデータ通信可能に接続され、これら各接続装置にはそれぞれローカルＩＰアドレスが付与されてローカルエリアネットワーク（ＬＡＮ）が形成されていて、該ローカルエリアネットワーク（ＬＡＮ）に接続されている各装置には、当該装置を個々に識別可能な装置ＩＤが付与されており、各装置が装置ＩＤとローカルＩＰアドレスとが対応付けられたＩＰアドレステーブルを有することで、装置ＩＤからローカルＩＰアドレスを特定して、当該装置ＩＤの装置との送受信を実施できるようになっている。
【００１６】
カード管理会社に設置されている本実施例の管理サーバ１４は、インターネット網９にもデータ通信可能に接続されていて、該インターネット網９に接続可能な端末装置、例えば、遊技場に来場する会員やビジターの遊技者が所持するインターネット接続機能を有する携帯電話機５や図示しないパソコン等に、該インターネット網９を通じて電子メールを送信可能とされている。
【００１７】
また、本実施例の管理サーバ１４は、複数の店舗に設置された電波ポスター１７を用いて実施する広告を管理する広告管理会社に設置された広告管理サーバ１６と、例えば、図示しないＶＰＮ（バーチャル・プライベート・ネットワーク）装置を用いることで、インターネット網９を介してデータ通信可能に接続されており、管理サーバ１４と広告管理サーバ１６との間において、更新データ等の各種のデータの送受が可能とされているとともに、該広告管理サーバ１６も、インターネット網９を通じて、インターネット網９に接続可能な端末装置に電子メールを送信可能とされている。
【００１８】
この広告管理サーバ１６は、図１に示すように、各店舗に設置されている電波ポスター１７と通信回線を通じてデータ通信可能に接続されているとともに、これら電波ポスター１７に掲示された広告の詳細情報を取得するために使用する、本発明における記録媒体となるＩＣタグ１８（図３参照）の付与を受けるために利用登録を行った登録利用者の電子メールアドレスが、該ＩＣタグ１８に記憶されているＩＣタグ１８を個々に識別可能なタグＩＤに対応付けて記憶されており（図９（ｂ）参照）、登録利用者がＩＣタグ１８を電波ポスター１７に設けられている図示しないタグリーダに近接させることで、該タグリーダにて読み取られたＩＣタグ１８のタグＩＤと、各電波ポスターに固有に付与されたポスターＩＤとが広告管理サーバ１６に送信されることで、該ポスターＩＤから特定される当該電波ポスターに掲示されている広告の詳細情報を含む電子メール（詳細メール）が、利用登録を行った登録利用者の電子メールアドレスに対して送信される。
【００１９】
また、本実施例の情報提供システムに用いた携帯電話機５は、通常の無線による通話機能、インターネット等の接続機能、並びに電子メールの送受信機能に加えて、カメラ機能や、二次元バーコード等の情報記録シンボルの読み取り機能や、記憶されている電子マネー額を使用するためのお財布機能を有しており、これらお財布機能を提供するために、外部のリーダライタ装置との近距離非接触データ通信を実施するための、図示しない非接触ＩＣカード用チップ（以下、非接触ＩＣチップと略称する）を搭載しており、該非接触ＩＣチップに記憶されている電子マネー額を各種の取引、例えば乗車料金の精算や、買い物代金の精算等に使用できるとともに、該電子マネー額を遊技場に設置されているカードユニット３における玉貸にも使用できるようになっている。
【００２０】
次に、本実施例に用いた本発明における情報表示装置となるカードユニット３について説明すると、該カードユニット３は、図２に示すように、遊技場に設置された遊技機であるパチンコ機２に１対１に対応して設けられ、該対応するパチンコ機２と接続されており、カードユニット３と対応するパチンコ機２との間で、パチンコ玉の貸出に関する各種信号の入出力が可能とされている。
【００２１】
この本実施例のカードユニット３の前面には、多機能ランプ３０１等の各種表示部と、紙幣挿入口３０２、硬貨投入口３０３、電子マネー報知部３３１、電子マネー通信部３３２、硬貨返却ボタン３０４、突出部３０５、硬貨返却口３０８、カード挿入口３０９が設けられている。
【００２２】
カードユニット３の前面に設けられたカード挿入口３０９は、内蔵される内部カードリーダライタ３２７（図３参照）のカードスロット（図示略）に連設されており、このカード挿入口３０９を介してプリペイドカードや会員カードをカードスロットに挿入可能とされている。
【００２３】
この本実施例に使用されるプリペイドカード並びに会員カードには、種々のデータを記憶するための不揮発性メモリと、これら記録情報の書き換えや読み出しを実施するとともに、外部のリーダライタ装置との非接触通信を実施する制御部とを有するＩＣチップを有するＩＣカードを使用しており、これらプリペイドカード並びに会員カードには、個々のカードを識別可能なカードＩＤ、具体的には、プリペイドカードにはＪＧＶＣで始まるカードＩＤが、会員カードには、ＪＧＫＣ始まる会員カードＩＤが予め記憶されているとともに、カードユニット３において玉貸に使用可能な遊技用残額を特定可能な遊技用残額データ等の各種データが記憶されている。
【００２４】
この本実施例のプリペイドカードは、後述する入金処理や第２入金処理によって入金された遊技用残額がカードユニット３に残存する状態において後述する返却ボタンを操作することで、該遊技用残額を特定可能な遊技用残額データが書き込み記憶されて発行されるとともに、遊技場内に設置された図示しない発行機にても発行される。
【００２５】
また、会員カードは、会員登録必要事項となる氏名、年齢、性別、職業、誕生日、住所や電子メールアドレス等の属性情報を記入した登録申し込み用紙を、各店舗の受付けカウンター等に提出して会員登録の申し込みを実施することで、当該会員に対して発行される会員カードの会員カードＩＤに対応付けて、該登録申し込み者の属性情報がシステムコントローラ１１０並びに管理サーバ１４０に登録された後、該登録申し込み者に各店舗において引き渡されるようになっている。
【００２６】
カードユニット３の前面には、前方に突出する態様にて突出部３０５が設けられている。該突出部３０５において、遊技者側に向けられた面には、表示部３１２と、メインメニュー画面を表示させるためのメニュースイッチ３１６と、データ画面（図示略）を表示させるためのデータスイッチ３１８と、会員カードを受付けた場合において、該会員カードの会員カードＩＤにより特定される貯蓄玉数を用いた再プレイ遊技を実施するための再プレイスイッチ３１９と、再プレイスイッチ３１９の操作が有効であることを報知するための再プレイ表示部３２０とが設けられており、該表示部３１２の表面には、表示部３１２に表示された表示項目を指触により入力可能とするための透明タッチパネル３１４が設けられている。
【００２７】
図３は、本実施例のカードユニット３の構成を示すブロック図である。カードユニット３は、カード挿入口３０９に連設される内部カードリーダライタ３２７と、電子マネー通信部３３２の内部位置に設けられ、電子マネー額が記憶された非接触ＩＣチップを搭載した携帯電話機５や、前述のＩＣタグ１８との近距離非接触データ通信を実施するための外部カードリーダライタ３３０と、表示制御基板３２９と、カードユニット３の各部の制御を制御プログラムにより実施して該カードユニット３の各種の機能を提供する制御ユニット３２８と、から主に構成されており、内部カードリーダライタ３２７や外部カードリーダライタ３３０及び表示制御基板３２９は制御ユニット３２８と接続され、各種データの送受（入出力）が可能とされている。
【００２８】
制御ユニット３２８は、制御プログラムを実行可能な中央演算処理回路（ＣＰＵ）３２８ａや、各種のデータや、後述する図４に示す情報テーブルやＣＭデータテーブルや受付け会員情報や、非稼働ＣＭ表示順序データや、ビジターＣＭ表示順序データ、会員ＣＭ表示順序データ、告知映像データ（ファイル）、詳細テキストデータ（ファイル）等の各種のデータが記憶されるＲＡＭ３２８ｂや、制御プログラムや各種の設定データ等を記憶可能なＲＯＭ３２８ｃを含み、ＲＡＭ３２８ｂは図示しない電池によりバックアップされており、電源が遮断されても、所定期間において記憶されているデータが保持される。
【００２９】
本実施例の情報テーブルには、図４（ａ）に示すように、該カードユニット３に割り当てられた装置ＩＤが格納される装置ＩＤの項目と、内部カードリーダライタ３２７に受付け中の会員カードまたはプリペイドカードのカードＩＤが格納される受付カードＩＤの項目と、その時点において残額表示器に表示されている遊技用残額（受付け中の会員カードまたはプリペイドカードがある場合はその残額と同一）が格納される遊技用残額の項目と、その時点において表示部３１２に表示されている告知映像のＣＭ−ＩＤが格納される表示ＣＭ−ＩＤの項目と、対応するパチンコ機２に付与された台番号が格納される対応台番号の項目と、対応するパチンコ機２の機種名が格納される機種名の項目と、対応するパチンコ機２の稼働状況が格納される稼働情報の項目とが設けられている。
【００３０】
また、本実施例のＣＭデータテーブルには、図４（ｂ）に示すように、本発明の告知情報となる告知映像を特定可能な告知情報特定情報であるＣＭ−ＩＤに対応付けて、タイトル名、告知条件、告知映像データ、詳細テキストデータ、ＵＲＬデータ、詳細情報提供形態、稼働順位、非稼働順位の各項目のデータが記憶されており、タイトル名の項目には当該告知情報のタイトルが格納され、告知条件の項目には当該告知情報（告知映像）の表示対象とする条件が格納され、告知映像データの項目には表示部３１２に表示する告知映像ファイルのファイル名が格納され、詳細テキストデータの項目には表示部３１２に表示する詳細情報のテキストファイルのファイル名が格納され、ＵＲＬデータの項目には当該告知情報に関する詳細情報を含むホームページデータへのアクセス情報となるＵＲＬが格納され、詳細情報提供形態の項目には詳細情報を電子メールにて送信するか或いはカードユニット３にて表示するかの設定情報が格納され、稼働順位の項目には対応するパチンコ機２の稼働中において表示部３１２に表示する順序データが格納され、非稼働順位の項目には非稼働中において表示部３１２に表示する順序データが格納される。
【００３１】
つまり、本実施例のＣＭデータテーブルには、告知映像（告知情報）の告知を行う会員に関する告知条件が記憶されており、該ＣＭデータテーブルによって本発明の告知条件記憶手段が形成されている。
【００３２】
また、本実施例の受付け会員情報には、図４（ｃ）に示すように、内部カードリーダライタ３２７に受付け中のカードが、当該遊技場にて発行された会員カード（ハウス会員カード）である場合において、該会員カードの受付け時においてシステムコントローラ１１０から取得した会員情報、具体的には、該会員の貯蓄玉数、暗証番号、該暗証番号が照合済みデータ、来店ポイント、名字、名前、性別、年齢、誕生日、職業、住所の各データが、受付け中の会員カードから読み出された会員カードＩＤに対応付けて記憶されている。
【００３３】
尚、本実施例においてはカードユニット３並びにシステムコントローラ１１０が設置されている遊技場（店舗）において会員登録した会員をハウス会員とし、該ハウス会員に発行されている会員カードをハウス会員カードと以下において呼称するとともに、他の遊技場（店舗）において会員登録した会員は他店会員と呼称し、会員以外の遊技者はビジター遊技者と呼称する。
【００３４】
また、本実施例の非稼働ＣＭ表示順序データには、図４（ｄ）に示すように、対応するパチンコ機２の稼働状況が非稼働、つまり情報テーブルの稼働情報に「非稼働中」が格納されているときに表示部３１２に表示する告知映像のＣＭ−ＩＤが、その表示順に格納されており、これら非稼働ＣＭ表示順序データは、後述するように営業開始前の起動処理において更新される（図１２参照）。
【００３５】
また、本実施例のビジターＣＭ表示順序データには、図４（ｅ）に示すように、ハウス会員カードを受付け中でないが、対応するパチンコ機２の稼働状況が稼働、つまり情報テーブルの稼働情報に「稼働中」が格納されているときに表示部３１２に表示する告知映像のＣＭ−ＩＤが、その表示順に格納されており、これらビジターＣＭ表示順序データは、後述するように営業開始前の起動処理において更新される（図１２参照）。
【００３６】
また、本実施例の会員ＣＭ表示順序データには、図４（ｆ）に示すように、ハウス会員カードを受付け中であるときに表示部３１２に表示する告知映像のＣＭ−ＩＤが、その表示順に格納されており、これら会員ＣＭ表示順序データは、該会員カードの挿入受付け時において実施されるカード受付け処理において更新される（図１４参照）。
【００３７】
内部カードリーダライタ３２７は、カード挿入口３０９から挿入される会員カード並びにプリペイドカードに記録されている（会員）カードＩＤや、遊技用残額データ等の記録情報の読み出し並びに書き込みを行うとともに、その内方側端部位置に、発行に使用するプリペイドカード（回収したカードを含む）貯留する図示しない貯留部を有しており、該貯留部に貯留されたカードを発行可能とされている。
【００３８】
つまり、本実施例の内部カードリーダライタ３２７は、会員カード（会員用記録媒体）を受付けて、該会員カードに記録（記憶）されている会員カードＩＤを含む記録情報を少なくとも読み出しており、該内部カードリーダライタ３２７によって本発明における会員記録媒体読み出し手段が形成されている。
【００３９】
また、外部カードリーダライタ３３０は、該電子マネー通信部３３２に近接された電子マネー額が記憶されたお財布機能を備える携帯電話機５に内蔵されている非接触ＩＣチップとの間において、電子マネー額の使用に関する非接触データ通信を実施するとともに、電子マネー通信部３３２に近接されたＩＣタグ１８に記憶されているタグＩＤを非接触データ通信にて読み取る。つまり、携帯電話機５やＩＣタグ１８が近接されることで、該近接された携帯電話機５やＩＣタグ１８との間の非接触データ通信が可能とされており、外部カードリーダライタ３３０によって携帯電話機５やＩＣタグ１８が受付けられる。
【００４０】
つまり、本実施例の外部カードリーダライタ３３０は、後述するように詳細情報送信サービスの利用登録を行った登録利用者に付与されるＩＣタグ１８（記録媒体）を受付けて、該受付けたＩＣタグ１８（記録媒体）に記憶されている当該ＩＣタグ１８（記録媒体）を個々に識別可能なタグＩＤ（記録媒体識別情報）を読み取っており、該外部カードリーダライタ３３０によって本発明の記録媒体読取手段が形成されている。
【００４１】
更には、本実施例の外部カードリーダライタ３３０は、インターネット接続機能を有する携帯電話機５（携帯端末）を受付けて、該受付けた携帯電話機５（携帯端末）とのデータ通信を行っており、該外部カードリーダライタ３３０によって本発明の携帯端末通信手段が形成されている。
【００４２】
表示制御基板３２９には、前記した表示部３１２を成す液晶表示器３１３、透明タッチパネル３１４や、各種スイッチ類（メニュースイッチ３１６ａ、データスイッチ３１８ａ、再プレイスイッチ３１９ａ）や前述した再プレイ表示部３２０内に設けられた再プレイＬＥＤ３２０ａ等の電子部品が接続されている。
【００４３】
これら表示制御基板３２９に接続されている電子部品のうち透明タッチパネル３１４、各種スイッチ類（メニュースイッチ３１６ａ、データスイッチ３１８ａ、再プレイスイッチ３１９ａ）は、表示制御基板３２９を介して制御ユニット３２８に接続されており、透明タッチパネル３１４による位置検出情報や各スイッチの検出信号が制御ユニット３２８に入力される。また、再プレイＬＥＤ３２０ａも、表示制御基板３２９を介して制御ユニット３２８に接続されており、その点灯制御が制御ユニット３２８により行われる。尚、これら透明タッチパネル３１４、各種スイッチ類（メニュースイッチ３１６ａ、データスイッチ３１８ａ、再プレイスイッチ３１９ａ）の操作等を検知するための割込監視処理（図２１参照）、並びに該検知された操作内容に応じた表示処理等の各種処理は、後述する図１３に示すＳｂ１の起動処理の後、Ｓｂ２以降の通常処理と平行して実施可能とするために、該通常処理を実施する処理タスクとは個別の処理タスクに基づいて実施される。
【００４４】
また、表示制御基板３２９は、液晶表示器３１３の表示駆動を行う表示駆動回路や、前記透明タッチパネル３１４からの出力信号に基づいて押圧操作された位置を特定して該特定した入力位置情報を出力する入力位置検出回路や、表示駆動回路の表示処理や画像合成処理に使用されるＶＲＡＭや、各種スイッチが接続されてスイッチからの信号が入力されるＩ／Ｏポートを含み、制御ユニット３２８から出力された告知映像データに基づく告知映像や詳細テキストデータに基づく詳細情報画面、並びに表示データに基づく各種画面等を表示部３１２を構成する液晶表示器３１３に表示する制御を行う。
【００４５】
制御ユニット３２８には、表示制御基板３２９を介して接続されたスイッチや表示器等の電子部品に加えて、紙幣識別ユニット３２１、硬貨識別ユニット３２２が接続されている。
【００４６】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００４７】
また、制御ユニット３２８には、接続されたパチンコ機２に設けられ、受付け中の会員カードやプリペイドカードの遊技用残額を表示する図示しない残額表示器や、パチンコ玉の貸し出し（貸与）を行う際に操作される図示しない貸出ボタンの操作を検知する貸出ボタンスイッチや、受付け中の会員カードやプリペイドカードを返却させる際や残額表示器に表示されている遊技用残額が記憶されたプリペイドカードを発行させる際に操作される図示しない返却ボタンの操作を検知する返却ボタンスイッチが接続されている。
【００４８】
制御ユニット３２８は、各種スイッチの検出信号や透明タッチパネル３１４の位置検出情報、紙幣識別ユニット３２１や硬貨識別ユニット３２２による貨幣識別情報等を受けて、制御ユニット３２８に接続されている前記多機能ランプ内に設けられた多機能ＬＥＤ３０１ａや電子マネー報知部３３１内に設けられた報知ＬＥＤ３３１ａ等の各ＬＥＤ、内部カードリーダライタ３２７、外部カードリーダライタ３３０、表示制御基板３２９の制御、残額表示器の表示制御等、全体の動作制御、並びにカード挿入口３０９に挿入された会員カードやプリペイドカードに対してシステムコントローラ１１０と連携して利用の可／不可を判別するカード受付け処理（図１４）や、プリペイドカードまたはＲＡＭ３２８ｂに記憶された遊技用残額データから特定される遊技用残額を使用した玉貸を行う第１貸出処理（図１５）や、返却ボタンの操作により受付け中の会員カードやプリペイドカードの返却またはＲＡＭ３２８ｂの遊技用残額を特定可能な遊技用残額データが記憶されたプリペイドカードを発行する返却・発行処理（図１７）や、受付け中の会員カードやプリペイドカードまたはＲＡＭ３２８ｂへの貨幣投入による入金を行う入金処理（図１６）や、貯蓄玉数を用いた再プレイ処理（図１８や）、携帯電話機５の受付けにより該携帯電話機５に記憶されている電子マネー額を使用した玉貸を行う第２貸出処理（図１９）や、プリペイドカードまたは会員カードを受付けている状況において携帯電話機５の受付けた場合に実施される第２入金処理（図２０）等の各種処理を実行する。
【００４９】
更に、制御ユニット３２８は、図２１に示すＳｗ１〜Ｓｗ６の各割込状況の発生を検知したことに基づいて、図示しないメインメニューを表示部３１２に表示してメニュー内容の選択操作を受付けて、当該受付けたメニューに応じた表示内容を表示するメインメニュー受付け処理（Ｓｗ７）や、図示しないホールコンピュータから対応するパチンコ機２の台データを取得して、該取得した台データを表示部３１２に表示する台データ表示処理（Ｓｗ８）や、表示部３１２に表示している告知映像（ＣＭ）を更新する図２２に示す告知映像更新処理（Ｓｗ９）や、表示部３１２に表示している告知映像（ＣＭ）に関する詳細情報や詳細情報を含む詳細メール、或いは詳細情報を含むホームページデータへのアクセス情報であるＵＲＬデータを提供するための図２３に示す詳細情報提供処理（Ｓｗ１０）や、対応するパチンコ機２の非稼働を判定するための非稼働判定タイマをリセットする図２４に示す非稼働判定タイマリセット処理（Ｓｗ１１）と、情報テーブルの稼働状況のデータを更新する図２５に示す稼働情報更新処理（Ｓｗ１２）の各種処理を実行する。
【００５０】
また、制御ユニット３２８は、対応するパチンコ機２の図示しない賞球数制御基板と接続されており、該賞球数制御基板との間において玉貸処理に伴う各種信号の送受が実施可能とされ、更に、パチンコ機２から排出される当該パチンコ機２において遊技に使用されて入賞しなかったパチンコ玉（アウト玉）を計数するアウト玉計数器２６から、所定数のアウト玉が計数される毎に出力されるアウト玉計数信号が入力可能とされているとともに、通信部３３４並びに図示しないＨＵＢを介してシステムコントローラ１１０等とデータ通信可能に接続されており、各種データの送受がシステムコントローラ１１０との間において可能とされている。
【００５１】
次いで、本実施例に用いたシステムコントローラ１１０について説明すると、本実施例のシステムコントローラ１１０は、図５に示すように、コンピュータ内部にてデータの送受を行うデータバス１１１に、該システムコントローラ１１０が実施する各種処理等を処理プログラムに基づいて行うＣＰＵ１１２、処理時の一時記憶領域等として使用されるＲＡＭ１１３、現在の時刻情報やカレンダ情報を出力するリアルタイムクロック（ＲＴＣ）１１４、磁気ディスクや光磁気ディスクから成る記憶装置１１５、キーボードやマウス並びに告知映像等を入力するためのスキャナや会員カードに記憶された会員カードＩＤを読み出すカードリーダライタ等から成る入力装置１１６、各種情報を表示出力する表示装置１１７、遊技場内に設置された各カードユニット３等とのデータ通信を実施する通信部１１８、カード管理会社に設置されている管理サーバ１４とのデータ通信を行うデジタルサービスユニット（ＤＳＵ）１１９が接続された通常のコンピュータである。
【００５２】
記憶装置１１５には、図５に示すように、該システムコントローラ１１０が実施する各処理内容が記述された処理プログラムに加えて、図６に示すカード管理テーブルや、図７（ａ）に示す会員データテーブルや、図７（ｂ）に示すユニット管理テーブルや、図７（ｃ）に示すＣＭデータテーブルが記憶されているとともに、管理サーバ１４から配信されるＣＭデータにより更新された告知映像データ（ファイル）並びに詳細テキストデータ（ファイル）が記憶されており、これら告知映像データ（ファイル）並びに詳細テキストデータ（ファイル）は、カードユニット３の起動処理において各カードユニット３に配信される。
【００５３】
本実施例のカード管理テーブルには、図６に示すように、システムコントローラ１１０が設置された該遊技場において発行されたハウス会員カード並びにプリペイドカードの各カードＩＤに対応付けて、当該ハウス会員カードまたはプリペイドカードに残存する遊技用残額（データ）と、使用不可か否かを示す使用不可データとが記憶、管理されており、システムコントローラ１１０は、カードユニット３にて受付けられたハウス会員カード並びにプリペイドカードの（会員）カードＩＤから、当該ハウス会員カード並びにプリペイドカードに残存する遊技用残額を特定できるようになっている。
【００５４】
また、本実施例の会員データテーブルには、図７（ａ）に示すように、システムコントローラ１１０が設置された該遊技場において発行されたハウス会員カードに記憶されている各会員カードＩＤに対応付けて、当該会員が所有する貯蓄玉数や、該貯蓄玉数を使用する場合の本人確認に使用される暗証番号や、来店ポイント、名字、名前、性別、年齢、誕生日、職業、住所、メールアドレス等からなる会員情報が記憶されている。
【００５５】
また、本実施例のユニット管理テーブルには、図７（ｂ）に示すように、システムコントローラ１１０に接続された、該遊技場内の各カードユニット３に付与された装置ＩＤに対応付けて、設置島、状況、対応機種名、対応台番号、受付カードＩＤ、本日総使用金額、本日総入金額の各項目のデータが記憶されており、設置島の項目には当該カードユニット３が設置されている設置島番号が格納され、状況の項目にはカードの受付け状況が格納され、対応機種名の項目には対応するパチンコ機２の機種名が格納され、対応台番号の項目には対応するパチンコ機２の台番号が格納され、受付カードＩＤの項目には受付け中の（会員）カードＩＤが格納され、本日総使用金額の項目には当日の営業開始時点からの総使用金額が格納され、本日総入金額の項目には当日の営業開始時点からの総入金額が格納されている。
【００５６】
また、本実施例のＣＭデータテーブルには、図７（ｃ）に示すように、本発明における告知情報特定情報となる各ＣＭ−ＩＤに対応付けて、タイトル名、告知条件、告知映像データ、詳細テキストデータ、ＵＲＬデータ、詳細情報提供形態、優先順位、稼働順位、非稼働順位の各項目のデータが記憶されており、タイトル名の項目には当該告知情報のタイトルが格納され、告知条件の項目には当該告知映像（ＣＭ）の表示対象とする条件が格納され、告知映像データの項目には表示部３１２に表示する告知映像ファイルのファイル名が格納され、詳細テキストデータの項目には表示部３１２に表示する詳細情報のテキストファイルのファイル名が格納され、ＵＲＬデータの項目には当該告知情報に関する詳細情報を含むホームページデータへのアクセス情報となるＵＲＬデータが格納され、詳細情報提供形態の項目には詳細情報を電子メールにて送信するか或いはカードユニット３にて表示するかの設定情報が格納され、優先順位には、稼働順位や非稼働順位を決定するために管理サーバ１４から配信されてくるＣＭデータ中の優先順位データが格納され、稼働順位の項目には稼働中に表示部３１２に表示する順序データが格納され、非稼働順位の項目には非稼働中に表示部３１２に表示する順序データが格納される。
【００５７】
次いで、本発明に用いた管理サーバ１４の構成について説明すると、管理サーバ１４は、図８に示すように、コンピュータ内部にてデータの送受を行うデータバス１４１に、該管理サーバ１４が処理プログラムに基づいて実施する、後述するタグ情報テーブル更新処理（図２８）や、詳細メール送信処理（図２９）、会員情報データベース更新処理（図３２参照）、ＣＭデータ送信処理（図１２参照）等の各種処理を行うＣＰＵ１４２、処理時の一時記憶領域等として使用されるＲＡＭ１４３、キーボードやマウス等の入力装置１４４、磁気ディスクや光磁気ディスクから成る記憶装置１４５、各種情報を表示出力する表示装置１４６、通信回線を通じて各遊技場に設置されたシステムコントローラ１１０とのデータ通信を行うためのデジタルサービスユニット（ＤＳＵ）１４８とが接続された処理能力に優れたサーバ用のコンピュータである。
【００５８】
また、記憶装置１４５には、管理サーバ１４が実施する各種処理内容が記述された処理プログラムに加えて、図９（ａ）に示すＣＭ情報テーブル、図９（ｂ）に示すタグ情報テーブル、図１０（ａ）に示す遊技場別会員情報データベース（ＤＢ）、図１０（ｂ）に示す遊技場情報テーブル、図１１に示すカード管理データベース（ＤＢ）が記憶されているとともに、広告管理サーバ１６から送信されたＣＭ更新情報により更新された告知映像データ（ファイル）並びに詳細テキストデータ（ファイル）が記憶されている。
【００５９】
この本実施例のＣＭ情報テーブルには、図９（ａ）に示すように、本発明の告知情報特定情報となる各ＣＭ−ＩＤに対応付けて、タイトル名、告知条件、告知映像データ、詳細テキストデータ、ＵＲＬデータ、詳細情報提供形態、優先順位の各項目のデータが記憶されており、タイトル名の項目には当該告知情報のタイトルが格納され、告知条件の項目には当該告知映像（ＣＭ）の表示対象とする条件が格納され、告知映像データの項目には表示部３１２に表示する告知映像ファイルのファイル名が格納され、詳細テキストデータの項目には表示部３１２に表示する詳細情報のテキストファイルのファイル名が格納され、ＵＲＬデータの項目には当該告知情報に関する詳細情報を含むホームページデータへのアクセス情報となるＵＲＬデータが格納され、詳細情報提供形態の項目には詳細情報を電子メールにて送信するか或いはカードユニット３にて表示するかの設定情報が格納され、優先順位には、システムコントローラ１１０において稼働順位や非稼働順位を決定するための優先順位データが格納され、これらのデータは、広告管理サーバ１６から送信されてくるＣＭ更新情報に基づいて更新される。
【００６０】
また、本実施例のタグ情報テーブルには、図９（ｂ）に示すように、前述のＩＣタグ１８に記憶されている各タグＩＤに対応付けて、利用登録により当該ＩＣタグ１８が付与された登録利用者の電子メールアドレスが記憶されており、該タグ情報テーブルの登録データは、広告管理サーバ１６から送信されるＩＤ更新情報の受信に基づいてタグ情報テーブル更新処理において更新される（図１２参照）。
【００６１】
また、本実施例における遊技場別会員情報データベースには、図１０（ａ）に示すように、個々の遊技場の遊技場ＩＤ毎に、各遊技場において会員登録した会員に対して発行された会員カードの会員カードＩＤに対応付けて、当該会員の氏名（名字並びに名前）、性別、年齢、誕生日、職業、住所、電子メールアドレスと、当該会員に付与されたＩＣタグ１８のタグＩＤから成る会員情報が記憶されており、これら遊技場別会員情報データベースの記憶データは、前記会員管理コンピュータ１２０から送信される会員登録情報や、広告管理サーバ１６から送信されるＩＤ更新情報の受信に基づいて更新される。
【００６２】
また、本実施例の遊技場情報テーブルには、図１０（ｂ）に示すように、各遊技場の遊技場ＩＤに対応付けて、当該遊技場において会員に発行される会員カードの会員カードＩＤの範囲である対応会員ＩＤと、当該遊技場の遊技場名や、所在地、並びに前記ＤＳＵ１４８並びに通信回線を通じて各遊技場に設置されたシステムコントローラ１１０との通信接続を実施するための接続用情報である回線番号が記憶されている。
【００６３】
また、本実施例のカード管理データベース（ＤＢ）には、図１１に示すように、個々の遊技場の遊技場ＩＤ毎に、各遊技場にて発行される会員カードやプリペイドカードの（会員）カードＩＤや、当該会員カードやプリペイドカードに残存する遊技用残額や使用不可データが記憶、管理されており、該カード管理データベース（ＤＢ）を用いることで、発行された遊技場以外の他の遊技場にて会員カード並びにプリペイドカードが受付けられた場合においても、該会員カード並びにプリペイドカードに記憶された（会員）カードＩＤから当該会員カード並びにプリペイドカードに残存する遊技用残額を、管理サーバ１４において特定できるようになっている。
【００６４】
つまり、本実施例の管理サーバ１４においては、遊技場別会員情報データベースにおいて会員カードＩＤ（会員識別情報）に対応付けて当該会員の電子メールアドレスを少なくとも含む会員情報を管理し、タグ情報テーブルにおいて、タグＩＤ（記録媒体識別情報）に対応付けて該タグＩＤ（記録媒体識別情報）が記憶されたＩＣタグ（記録媒体）が付与された登録利用者の電子メールアドレスを管理するとともに、ＣＭ情報テーブルにおいて、告知映像（告知情報）を特定可能なＣＭ−ＩＤ（告知情報特定情報）に対応付けて当該告知映像（告知情報）に関する詳細情報を特定可能な詳細情報特定情報となる詳細テキストデータのファイル名を記憶して、管理している。
【００６５】
ここで、本実施例の情報提供システムにおいて、会員カードが発行される会員登録の流れについて、図１２を参照して以下に説明すると、会員登録の希望者は、会員となりたい店舗にて配布されている登録申し込み用紙に、登録必要事項となる氏名、年齢、性別、職業、誕生日、住所や電子メールアドレス等の属性情報を記入して、該店舗の受付けカウンター等に提出する。
【００６６】
この登録申し込み用紙の提出を受けて該遊技場においては、予めカード管理会社から該遊技場に配送されている未発行の会員カードの内の１枚を、当該会員登録の希望者に発行する会員カードとして割り当て、当該会員カードの会員カードＩＤと該会員登録の希望者の属性情報とをシステムコントローラ１１０に入力して会員登録を行う。
【００６７】
具体的には、会員登録の作業者がシステムコントローラ１１０において図示しない会員登録メニューを選択操作することで、表示装置１１７に図示しない会員登録画面を表示させることで、会員カードＩＤと会員登録希望者の属性情報の入力を受付ける会員登録受付け処理が実施される。
【００６８】
この会員登録画面が表示装置１１７に表示された状態において作業者は、該会員登録希望者に発行予定の会員カードに予め記憶されている会員カードＩＤを、入力装置１１６を成すカードリーダライタにて読み出して入力するともに、登録申し込み用紙に記入された属性情報を会員情報として入力する。
【００６９】
そして、これらの各情報の入力後に会員登録画面に設けられている「登録」の選択入力部を選択入力することで、会員登録処理並びに会員登録情報送信処理が実施される。
【００７０】
この会員登録処理においてシステムコントローラ１１０は、会員登録画面にて受付けた（入力された）会員カードＩＤと属性情報とを対応付けて会員データテーブルに記憶するとともに、貯蓄玉数や来店ポイントに初期値を格納する。
【００７１】
そして、会員登録情報送信処理においてシステムコントローラ１１０は、会員登録画面にて受付けた（入力された）会員カードＩＤと属性情報、並びに当該遊技場の遊技場ＩＤを含む会員登録情報を管理サーバ１４に対して送信する。
【００７２】
この会員登録情報の受信により管理サーバ１４は、図３２に示す会員情報データベース更新処理を実施する。具体的には、図３２に示すように、受信した会員登録情報に含まれる遊技場ＩＤに対応する会員情報データとして、該受信した会員登録情報に含まれる会員カードＩＤと属性情報とを遊技場別会員情報データベースに追加記憶した後（Ｓｎ１）、登録完了通知を会員登録情報の送信元のシステムコントローラ１１０に対して返信する（Ｓｎ２）。
【００７３】
そして、Ｓｎ３のステップに進み、Ｓｎ１にて新たに遊技場別会員情報データベースに追加登録した電子メールアドレスと同一の電子メールアドレスが、タグ情報テーブルに既に登録（記憶）されているか否かを判定する（Ｓｎ３）。
【００７４】
そして、同一の電子メールアドレスの登録がなかった場合には、会員情報データベース更新処理を終了する一方、同一の電子メールアドレスの登録があった場合には、該登録のあった電子メールアドレスに対応付けてタグ情報テーブルに記憶されているタグＩＤを、遊技場別会員情報データベースに新規に追加登録した該電子メールアドレスに対応するタグＩＤの項目に格納した後（Ｓｎ４）、該タグＩＤと電子メールアドレスの登録を、タグ情報テーブルから削除して（Ｓｎ５）、タグ情報テーブル更新処理を終了する。
【００７５】
そして、前述のＳｎ２のステップにて送信された登録完了通知の返信を受けてシステムコントローラ１１０は、会員登録画面にて受付けた会員登録希望者の会員登録が完了した旨の完了メッセージを表示する。この完了メッセージの表示を受けて作業者は、該発行予定の会員カードを登録申し込み用紙に貼着して受付けカウンターにて保管しておき、該会員登録希望者が再度受付けカウンターに会員カードの受け取りに来た際に、氏名と暗証番号との照合による本人確認をした上で、登録申し込み用紙に貼着されている会員カードを会員登録希望者に引き渡して発行する。
【００７６】
つまり、本実施例の会員カードは、会員が会員登録を行った店舗にて発行されるとともに、該会員カードには、該会員を個々に識別可能な会員識別情報となる会員カードＩＤが記憶されている。
【００７７】
更に、本実施例の管理サーバ１４は、前述した会員情報データベース更新処理を実施することにより、会員登録情報に含まれる、新たに管理される電子メールアドレスが既にタグＩＤテーブルにおいて、タグＩＤ（記録媒体識別情報）に対応付けて管理されているか否かを判定し、既に管理されていると判定したときに、既に管理されている新たに管理しようとする電子メールアドレスと同一の電子メールアドレスに対応付けて、遊技場別会員情報データベースにおいて、会員登録情報に含まれる新たな会員カードＩＤ（会員識別情報）を管理する。
【００７８】
次に、ＩＣタグ１８の利用登録、つまり、詳細情報送信サービスの利用登録について、図１２に基づいて簡潔に説明すると、来店者がＩＣタグ１８の利用登録をしたい場合には、遊技場内にて配布可能に配置されているＩＣタグ１８を入手する。
【００７９】
このＩＣタグ１８は、図３に示すように、略正方形板状とされており、その表面には当該ＩＣタグ１８に記憶されているタグＩＤが印刷されているとともに、該タグＩＤ並びに登録電子メールの送信先アドレスである広告管理サーバ１６のメールアドレスがシンボル化された二次元バーコードが印刷されている。
【００８０】
利用登録希望者が、携帯電話機５のように、二次元バーコードの読み取り機能を有する携帯電話機を所持していて、詳細メールを当該携帯電話機にて受信したい場合には、所持している携帯電話機にて二次元バーコードを読み取ることで、該読み取った二次元バーコードにシンボル化されている登録電子メールの送信先アドレス（広告管理サーバ１６のメールアドレス）宛の、該読み取った二次元バーコードにシンボル化されているタグＩＤを含む登録電子メールが生成されて送信される。
【００８１】
この登録電子メールの受信に基づいて広告管理サーバ１６は、タグＩＤ登録処理並びにＩＤ更新情報送信処理を実施する。具体的にタグＩＤ登録処理においては、受信した登録電子メールに含まれているタグＩＤに対応付けて、該登録電子メールに付与されている送信元の電子メールアドレス、すなわち、利用登録希望者が所持している携帯電話機の電子メールアドレスを記憶して利用登録を実施するとともに、ＩＤ更新情報送信処理においては、これら新たに記憶（登録）したタグＩＤと電子メールアドレスとを含むＩＤ更新情報を、カード管理会社に設置されている管理サーバ１４に対して送信する。
【００８２】
尚、利用登録希望者が、二次元バーコードの読み取り機能を有する携帯電話機を所持していない場合や、二次元バーコードの読み取り機能を有する携帯電話機を所持していても、該携帯電話機以外のパソコン等に詳細メールを送信させたい場合には、該入手したＩＣタグ１８を遊技場内のサービスカウンタ等に持参して、該サービスカウンタに設置されているインターネット網９に接続されたコンピュータ端末にて利用登録を実施する。具体的にサービスカウンタにおいては、コンピュータ端末にて広告管理サーバ１６の利用登録ページにアクセスして、該ＩＣタグ１８の表面に印刷表示されているタグＩＤと、詳細メールを受信したい自己の電子メールアドレス（携帯電話機の電子メールアドレスでも良いし、自宅のパソコンの電子メールアドレスでも良い）を入力する。これらの操作は、利用登録希望者自身が実施しても良いし、サービスカウンタの係員が実施しても良い。
【００８３】
これら利用登録ページに入力されたタグＩＤと電子メールアドレスとは、タグＩＤ登録処理によって、前述の登録電子メールの場合と同様に、対応付けて広告管理サーバ１６に記憶されて利用登録がなされた後、前述のＩＤ更新情報送信処理が実施されて、ＩＤ更新情報が管理サーバ１４に送信される。
【００８４】
このＩＤ更新情報の受信に基づいて管理サーバ１４は、図２８に示すタグ情報テーブル更新処理を実施する。具体的には、受信したＩＤ更新情報に対応付けて含まれているタグＩＤと電子メールアドレスをタグ情報テーブルに追加登録してタグ情報テーブルを更新する（Ｓｒ１）。
【００８５】
そして、Ｓｒ１にて新たにタグ情報テーブルに追加登録した電子メールアドレスと同一の電子メールアドレスが、遊技場別会員情報データベースに登録（記憶）されているか否かを判定する（Ｓｒ２）。
【００８６】
そして、同一の電子メールアドレスの登録がなかった場合には、タグ情報テーブル更新処理を終了する一方、同一の電子メールアドレスの登録があった場合には、該登録のあった電子メールアドレスに対応付けてタグ情報テーブルに記憶されているタグＩＤを、遊技場別会員情報データベースの当該電子メールアドレスに対応するタグＩＤの項目に格納した後（Ｓｒ３）、該タグＩＤと電子メールアドレスの登録を、タグ情報テーブルから削除して（Ｓｒ４）、タグ情報テーブル更新処理を終了する。
【００８７】
尚、本実施例では、Ｓｒ２〜Ｓｒ４の処理を、Ｓｒ１のステップと連動して実施しているが、本発明はこれに限定されるものではなく、これらＳｒ２〜Ｓｒ４の処理を、例えば、一日に一回、所定時間において実施するようにしても良い。
【００８８】
また、本実施例のタグ情報テーブル更新処理では、受信したＩＤ更新情報に対応付けて含まれているタグＩＤと電子メールアドレスをタグ情報テーブルに、一旦追加登録した後に、Ｓｒ２〜Ｓｒ４の処理を実施するようにしているが、本発明はこれに限定されるものではなく、これら受信したＩＤ更新情報に含まれている電子メールアドレスと同一の電子メールアドレスの登録が遊技場別会員情報データベースに登録（記憶）されているか否かをタグ情報テーブルに追加登録することなく判定し、該判定にて同一の電子メールアドレスの登録がなかった場合においてタグ情報テーブルに追加登録し、該判定にて同一の電子メールアドレスの登録があった場合には、受信したＩＤ更新情報に含まれているタグＩＤを、遊技場別会員情報データベースの当該電子メールアドレスに対応するタグＩＤの項目に格納するようにしても良い。
【００８９】
つまり、本実施例の管理サーバ１４は、タグ情報テーブル更新処理を実施することにより、ＩＤ更新情報に含まれる、新たに管理される電子メールアドレスが既に遊技場別会員情報データベースにおいて、会員カードＩＤ（会員識別情報）に対応付けて管理されているか否かを判定し、既に管理されていると判定したときに、既に管理されている電子メールアドレスに対応付けて、ＩＤ更新情報に含まれる、新たなタグＩＤ（記録媒体識別情報）を管理する。
【００９０】
次いで、管理サーバ１４のＣＭ情報テーブル並びに告知映像データや詳細テキストデータが更新される流れについて、図１２に基づいて以下に説明する。
【００９１】
まず、本実施例における告知映像データは、具体的には、電波ポスター１７に掲示されるポスター（ＣＭ映像）の画像データとされており、これら電波ポスター１７に掲示されるポスターのＣＭには、広告管理会社において当該ポスター（ＣＭ映像）が該当するＣＭを特定可能とするための固有のＣＭ−ＩＤが付与されて管理されているとともに、これら各ＣＭのポスター（ＣＭ映像）の画像データファイル名が当該ＣＭのＣＭ−ＩＤとされて管理され、更には、当該ＣＭの詳細メールとして送信する詳細情報の内容であるテキストデータのファイル名が当該ＣＭのＣＭ−ＩＤとされて広告管理サーバ１６にて管理されている。
【００９２】
つまり、ＣＭ−ＩＤは、本発明における告知情報となる告知映像が該当するＣＭに固有に付与されたものであり、該ＣＭ−ＩＤから告知映像を特定できるので、該ＣＭ−ＩＤが本発明における告知情報を特定可能な告知情報特定情報に該当する。
【００９３】
そして、該広告管理サーバ１６にて所定操作が実施されることで、該広告管理サーバ１６にて管理されているＣＭの内、カード管理会社を通じて、各遊技場において広告を実施するＣＭの登録・削除を受付けるＣＭ登録・削除処理が実施される。
【００９４】
このＣＭ登録・削除処理においては、新たに実施する遊技場において広告を実施するＣＭのＣＭ−ＩＤと、該ＣＭのタイトル名と、該ＣＭの告知映像を表示して告知を実施する条件である告知条件と、当該ＣＭの告知映像のファイル名と、当該ＣＭの詳細テキストのファイル名と、当該ＣＭの詳細情報を含むホームページデータのＵＲＬデータと、表示順序を決定するための優先順位を受付けるとともに、既に遊技場において実施中のＣＭの内、広告を終了するＣＭのＣＭ−ＩＤを受付けて、遊技場において実施するＣＭのＣＭ−ＩＤが登録された図示しない遊技場実施ＣＭテーブルに新たに実施するＣＭのＣＭ−ＩＤを追加登録するとともに、終了するＣＭのＣＭ−ＩＤを該遊技場実施ＣＭテーブルから削除する。つまり、遊技場実施ＣＭテーブルには、遊技場において実施する広告に関する情報、具体的には、各ＣＭ−ＩＤに対応付けて、該ＣＭ−ＩＤとともに受付けたタイトル名と、告知条件と、告知映像のファイル名と、詳細テキストのファイル名と、ＵＲＬデータと、優先順位とが記憶されている。
【００９５】
これらＣＭ登録・削除処理の後、該ＣＭ登録・削除処理によって更新された遊技場実施ＣＭテーブルの記憶データ並びに該遊技場実施ＣＭテーブルに登録されているＣＭ−ＩＤをファイル名とする告知映像データ（ファイル）と詳細テキストデータ（ファイル）とを含むＣＭ更新情報が、カード管理会社に設置された管理サーバ１４に対して送信される。
【００９６】
このＣＭ更新情報の受信に基づいて管理サーバ１４は、図９（ａ）に示すＣＭ情報テーブルと記憶装置１４５に記憶している告知映像データ（ファイル）と詳細テキストデータ（ファイル）を更新するＣＭ情報テーブル更新処理を実施する（図１２参照）。
【００９７】
具体的に該ＣＭ情報テーブル更新処理においては、ＣＭ情報テーブルの登録データを全て一旦消去した後、受信したＣＭ更新情報に含まれる各ＣＭのＣＭ−ＩＤをＣＭ情報テーブルのＣＭ−ＩＤの項目に格納し、タイトル名、告知条件、告知映像データのファイル名、詳細テキストデータのファイル名、ＵＲＬデータ、優先順位とを、該ＣＭ−ＩＤに対応するタイトル名、告知条件、告知映像データ、詳細テキストデータ、ＵＲＬデータ、優先順位の各項目に格納するとともに、詳細情報提供形態には「電子メール」を格納する。また、記憶装置１４５に記憶されている告知映像データ（ファイル）と詳細テキストデータ（ファイル）も全て一旦削除して、受信したＣＭ更新情報に含まれるる告知映像データ（ファイル）と詳細テキストデータ（ファイル）を新たに記憶して、告知映像データ（ファイル）と詳細テキストデータ（ファイル）を更新する。
【００９８】
このように管理サーバ１４においてＣＭ情報テーブル更新処理を実施することにより、ＣＭ情報テーブルには、広告管理サーバ１６の遊技場実施ＣＭテーブルに登録された登録データと同様のデータが格納されるとともに、広告管理サーバ１６に記憶されている告知映像データ（ファイル）と詳細テキストデータ（ファイル）と同一の告知映像データ（ファイル）と詳細テキストデータ（ファイル）が管理サーバ１４の記憶装置１４５に記憶されるようになる。
【００９９】
このようにして、管理サーバ１４のＣＭ情報テーブルにＣＭ情報テーブル更新処理によって格納された各ＣＭの詳細情報提供態様の項目には、前述のように、全て「電子メール」が格納されるようになっているが、告知映像（ＣＭ）の内容によっては、詳細情報を電子メール（詳細メール）ではなく、カードユニット３においてその場で表示した方が好ましいものも存在するとともに、告知映像（ＣＭ）を、カードユニット３が対応するパチンコ機２の稼働中に表示部３１２に表示した方が好ましいものや、カードユニット３が対応するパチンコ機２の非稼働中に表示部３１２に表示した方が好ましいものも存在するので、これらＣＭ情報テーブルに格納されている各データを、管理サーバ１４の表示装置１４６に表示される、図３０に示すＣＭ情報設定画面において、変更できるようになっている。
【０１００】
具体的に、本実施例のＣＭ情報設定画面においては、図３０に示すように、ＣＭ情報テーブルの登録データが、当該画面上部のＣＭ情報一覧表示部に個々に選択可能に一覧表示され、該一覧表示されたＣＭの中から変更したいＣＭを選択し、該ＣＭ情報一覧表示部の下方に設けられている各項目のデータから変更したい項目のデータの内容、例えば、詳細情報提供形態を電子メール（詳細メール）による提供形態からカードユニット３における表示による提供形態に変更したい場合には、詳細情報提供形態の項目に対応する表示内容を、ポップアップウインドウのメニューから「ユニット表示」を選択して変更した後、該ＣＭ情報設定画面の下方に表示されている「設定」を選択入力することで、該選択されたＣＭに対応する詳細情報提供形態の項目に、「ユニット表示」が格納されてＣＭ情報テーブルが更新される。尚、このユニット表示への詳細情報提供形態の変更に際しては、該ユニット表示への変更により不要となる該ＣＭのＵＲＬデータは削除される。
【０１０１】
つまり、本実施例の管理サーバ１４のＣＭ情報設定画面においては、詳細情報となる詳細テキストデータを、電子メール（詳細メール）にて送信するか或いは、カードユニット３の表示部３１２に表示するかを各詳細情報毎に設定できるようになっており、該管理サーバ１４のＣＭ情報設定画面によって、本発明における提供形態設定手段が形成されている。
【０１０２】
また、同様に、告知映像（ＣＭ）をパチンコ機２の稼働中において告知した方が、告知を受ける遊技者（来店客）への訴求効果が大きいと考えられる告知映像（ＣＭ）、例えば、「○×ドリンク」のように、長時間の遊技によって疲れた場合に告知した方が効果があると思われる告知映像（ＣＭ）の場合には、ＣＭ情報一覧表示部に一覧表示されたＣＭの中から該「○×ドリンク」のＣＭであるＣＭ−０００１を選択し、該ＣＭ情報一覧表示部の下方に設けられている各項目のデータから変更したい告知条件の項目に対応する表示内容を、ポップアップウインドウのメニューから「稼働中」を選択して変更した後、該ＣＭ情報設定画面の下方に表示されている「設定」を選択入力することで、該選択されたＣＭ−０００１に対応する告知条件の項目に、「稼働中」が格納されてＣＭ情報テーブルが更新される。尚、非稼働においてのみ告知した方が好ましい告知映像（ＣＭ）についても、稼働中への変更と同様に操作することで、対応する告知条件の項目に、「非稼働中」が格納されてＣＭ情報テーブルが更新される。また、告知条件に何も格納されていない場合には、遊技機の稼働・非稼働に拘わらず表示による告知が実施される。
【０１０３】
つまり、本実施例の管理サーバ１４におけるＣＭ情報設定画面においては、各告知映像を、対応するパチンコ機２の稼働状態において遊技者（来店者）に告知する稼働告知情報となる告知条件として「稼働中」や「男性会員」や「女性会員」が設定されているＣＭ−ＩＤの告知映像と、対応するパチンコ機２の非稼働状態において遊技者（来店者）に告知する非稼働告知情報となる告知条件として「非稼働中」が設定されているＣＭ−ＩＤの告知映像とに分類設定されており、該管理サーバ１４におけるＣＭ情報設定画面によって本発明における分類設定手段が形成されている。
【０１０４】
このようにして管理サーバ１４のＣＭ情報テーブルに記憶されている記憶データ並びに記憶装置１４５に記憶されている告知映像データ（ファイル）と詳細テキストデータ（ファイル）は、例えば、遊技場の営業開始前の所定時間において管理サーバ１４にて実施されるＣＭデータ送信処理において、ＣＭデータとして各遊技場のシステムコントローラ１１０に対して送信される。尚、このＣＭデータ送信処理にて送信される詳細テキストデータ（ファイル）としては、ＣＭ情報テーブルの詳細情報提供形態の項目に「ユニット表示」が格納されているＣＭ−ＩＤの詳細テキストデータ（ファイル）のみがＣＭデータとして送信される。
【０１０５】
このＣＭデータの受信に基づいてシステムコントローラ１１０は、図１２に示すように、図７（ｃ）に示すＣＭデータテーブルと記憶装置１１５に記憶している告知映像データ（ファイル）と詳細テキストデータ（ファイル）を更新するＣＭデータテーブル更新処理を実施する。
【０１０６】
具体的に該ＣＭデータテーブル更新処理においては、ＣＭデータテーブルの登録データを全て一旦消去した後、受信したＣＭデータに含まれる各ＣＭのＣＭ−ＩＤをＣＭデータテーブルのＣＭ−ＩＤの項目に格納し、タイトル名、告知条件、告知映像データのファイル名、詳細テキストデータのファイル名、ＵＲＬデータ、提供形態データ（電子メールまたはユニット表示）、優先順位とを、該ＣＭ−ＩＤに対応するタイトル名、告知条件、告知映像データ、詳細テキストデータ、ＵＲＬデータ、詳細情報提供形態、優先順位の各項目に格納する。また、記憶装置１１５に記憶されている告知映像データ（ファイル）と詳細テキストデータ（ファイル）は全て一旦削除して、受信したＣＭデータに含まれる告知映像データ（ファイル）と詳細テキストデータ（ファイル）を新たに記憶して、告知映像データ（ファイル）と詳細テキストデータ（ファイル）を更新する。
【０１０７】
このようにシステムコントローラ１１０においてＣＭデータテーブル更新処理を実施することにより、ＣＭデータテーブルには、管理サーバ１４のＣＭ情報テーブルに登録されている登録データと同様のデータが格納されるとともに、管理サーバ１４に記憶されている告知映像データ（ファイル）と同一の告知映像データ（ファイル）と、詳細情報提供形態の項目に「ユニット表示」が格納されているＣＭ−ＩＤの詳細テキストデータ（ファイル）と同一の詳細テキストデータ（ファイル）がシステムコントローラ１１０の記憶装置１１５に記憶されるようになる。
【０１０８】
また、システムコントローラ１１０が設置されている各遊技場においても、該遊技場が来店者に対して告知したい情報、例えば当該遊技場が独自に実施するイベント等の情報が存在する場合があるので、本実施例では、これら遊技場が告知したいＣＭも、広告管理会社から提供され、カード管理会社の管理サーバ１４から送信されてくるＣＭと同様にＣＭデータテーブルに登録することで、カードユニット３において来店者に対して告知できるようになっている。
【０１０９】
具体的に、遊技場がイベント等のＣＭ（遊技場ＣＭ）を登録したい場合には、システムコントローラ１１０の表示装置１１７に表示される、図３１に示す遊技場ＣＭ登録画面において登録を実施する。
【０１１０】
この本実施例の遊技場ＣＭ登録画面には、図３１に示すように、該登録される遊技場ＣＭに付与されるＣＭ−ＩＤ（広告管理会社から提供されるＣＭのＣＭ−ＩＤとは異なるＣＭＬから始まるＣＭ−ＩＤ）が表示されるＣＭ−ＩＤの項目と、該遊技場ＣＭのタイトル名を入力するためのタイトル名の項目と、該遊技場ＣＭの告知映像を表示して告知する告知条件と、告知映像データファイルを選択指定するための告知映像データの項目と、詳細テキストデータファイルを選択指定するための詳細テキストデータの項目と、稼働の告知条件と非稼働の告知条件毎に個別に指定可能な優先順位の項目とが設けられている。
【０１１１】
この本実施例の遊技場ＣＭ登録画面において、例えば、本日のイベント対象台の台番号等の情報を詳細情報として提供する本日イベントのＣＭを登録する場合であれば、タイトル名の項目に「本日イベント」を入力するともに、来店者が既にパチンコ機２で遊技している稼働状態において、イベント対象台の台番号等の情報を詳細情報として提供する本日イベントの告知を実施することは、既に遊技を実施するパチンコ機２を選択済みの遊技中の来店者にとってはあまり有益ではないので、告知条件の項目においては非稼働を指定し、告知映像データには、入力装置１１６を成すスキャナから入力した本日イベントのポスターの映像データのファイル名を指定し、詳細テキストデータには、入力装置１１６を成すキーボードから入力した本日のイベント対象台の台番号のテキストデータのファイル名を指定し、優先順位の項目にて優先順位を指定した後に該遊技場ＣＭ登録画面の下方に表示されている「登録」を選択入力することで、遊技場ＣＭ登録画面において受付けられた各項目のデータが、ＣＭデータテーブルの対応する項目に格納されて登録される。
【０１１２】
また、図７（ｃ）に示すＣＭデータテーブルには、本日イベントとともに、遊技場ＣＭとして、明日イベントが登録されており、該明日イベントは、本日イベントとは対象的に、稼働中において来店者に提供しても有益であるので、告知条件として稼働中が設定されている。
【０１１３】
また、これらＣＭデータテーブルに登録された遊技場ＣＭは、図示しない遊技場ＣＭ変更・削除画面にて登録内容の変更、削除を実施できる。
【０１１４】
尚、本実施例では、これら遊技場ＣＭについては、詳細情報をカードユニット３においてのみ提供する形態をとっているため、これらの登録を遊技場に設置されたシステムコントローラ１１０において実施するようにしているが、本発明はこれに限定されるものではなく、例えば、前述の明日イベントや次回イベント等における詳細情報として、イベント台となる台番号や機種を提供する場合のように、遊技者が帰宅してから余裕を持って確認できるようにすることも重要である場合もあることから、これら遊技場ＣＭの登録を、カード管理会社の管理サーバ１４にて、実施し、該管理サーバ１４から詳細メールを送信して提供するようにしても良い。
【０１１５】
更に、このようにする場合においては、図３１に示すＣＭ登録画面において、メール配信か、ユニット表示かを選択設定する項目を追加し、メール配信に設定された遊技場ＣＭについては、遊技場ＣＭのＣＭ−ＩＤと詳細テキストデータを遊技場の営業開始前に管理サーバ１４に送信して、該管理サーバ１４における図９（ａ）に示すＣＭ情報テーブルを更新するようにしても良い。
【０１１６】
このように、ＣＭデータテーブルが管理サーバ１４からのＣＭデータにより更新された場合、並びに、前述のように、遊技場ＣＭ登録画面により遊技場ＣＭが登録、遊技場ＣＭ変更・削除画面により遊技場ＣＭが変更・削除された場合には、ＣＭデータテーブルの優先順位に基づいて、稼働順位、非稼働順位のデータが更新される。
【０１１７】
具体的に、例えば図７（ｃ）に示すＣＭデータテーブルのように優先順位が登録されている場合における稼働順位としては、ＣＭ−ＩＤから識別できる遊技場ＣＭの優先順位が、広告管理会社からの提供ＣＭより優先され、告知条件として稼働中が登録されている、「明日イベント」のＣＭが稼働順位１番として特定されて稼働順位の項目に「１」が格納されるとともに、告知条件として稼働中が登録されているその他の遊技場ＣＭが存在しないので、広告管理会社からの各提供ＣＭに、各提供ＣＭの優先順位の順序に従って、順次、稼働順位の項目に「２」以降の順序データが格納されていく一方、非稼働順位としては、ＣＭ−ＩＤから識別できる遊技場ＣＭの優先順位が、広告管理会社からの提供ＣＭより優先され、告知条件として非稼働中が登録されている、「本日イベント」のＣＭが非稼働順位１番として特定されて非稼働順位の項目に「１」が格納されるとともに、告知条件として非稼働中が登録されているその他の遊技場ＣＭが存在しないので、広告管理会社からの提供ＣＭの内、告知条件に稼働中に類する条件、つまり、稼働中や会員カードが受付けられている場合にのみ条件に合致しているか否かを判定可能な男性会員や女性会員等が記憶されていない提供ＣＭ、すなわち、ＣＭ−ＩＤがＣＭ−０００１〜ＣＭ−０００３の提供ＣＭを除く提供ＣＭの優先順位の順序に従って、順次、稼働順位の項目に「２」以降の順序データが格納されていく。
【０１１８】
このようにしてシステムコントローラ１１０のＣＭデータテーブルに記憶されている記憶データ並びに記憶装置１１５に記憶されている告知映像データ（ファイル）と詳細テキストデータ（ファイル）は、遊技場の営業開始前においてカードユニット３が起動されることにより各カードユニット３の制御ユニット３２８において実施される起動処理にて、システムコントローラ１１０との接続を確認するための当該カードユニット３の装置ＩＤを含む接続確認要求の受信に応じて、当該システムコントローラ１１０における各種設定データを更新するための設定情報が送信される設定情報の送信処理とともに実施されるＣＭデータ送信処理において各カードユニット３にＣＭデータとして送信される。
【０１１９】
つまり、本実施例のカードユニット３は、起動処理において接続確認要求をシステムコントローラ１１０に送信して、提供形態設定手段を成す図２３の詳細情報提供処理にて表示部３１２に表示する設定がなされた詳細情報、すなわち、詳細情報提供形態として「ユニット表示」が設定された告知映像（告知情報）の詳細テキストデータ（ファイル）を、該システムコントローラ１１０からのＣＭデータにより取得しており、該起動処理によって本発明の詳細情報取得手段が形成されている。
【０１２０】
このＣＭデータ送信処理にて送信されるＣＭデータの受信に基づいてカードユニット３（制御ユニット３２８）は、図１２に示すように、ＲＡＭ３２８ｂに記憶されている図４（ｂ）のＣＭデータテーブルの記憶データとＲＡＭ３２８ｂに記憶している告知映像データ（ファイル）と詳細テキストデータ（ファイル）を更新するＣＭデータテーブル更新処理と、図４（ｄ）の非稼働ＣＭ表示順序データ並びに図４（ｅ）のビジターＣＭ表示順序データを生成して更新するＣＭ表示順序データ更新処理を実施する。
【０１２１】
具体的に該ＣＭデータテーブル更新処理においては、ＣＭデータテーブルの登録データを全て一旦消去した後、受信したＣＭデータに含まれる各ＣＭのＣＭ−ＩＤをＣＭデータテーブルのＣＭ−ＩＤの項目に格納し、タイトル名、告知条件、告知映像データのファイル名、詳細テキストデータのファイル名、ＵＲＬデータ、提供形態データ（電子メールまたはユニット表示）、稼働順位データ、非稼働順位データとを、該ＣＭ−ＩＤに対応するタイトル名、告知条件、告知映像データ、詳細テキストデータ、ＵＲＬデータ、詳細情報提供形態、稼働順位、非稼働順位の各項目に格納する。また、ＲＡＭ３２８ｂに記憶されている告知映像データ（ファイル）と詳細テキストデータ（ファイル）は一旦全て削除して、受信したＣＭデータに含まれる告知映像データ（ファイル）と詳細テキストデータ（ファイル）を新たに記憶して、告知映像データ（ファイル）と詳細テキストデータ（ファイル）を更新する。
【０１２２】
このようにカードユニット３（制御ユニット３２８）においてＣＭデータテーブル更新処理を実施することにより、カードユニット３のＣＭデータテーブルには、システムコントローラ１１０のＣＭデータテーブル、つまり、管理サーバ１４のＣＭ情報テーブルに登録されている登録データと同様のデータが格納されるとともに、システムコントローラ１１０や管理サーバ１４に記憶されている告知映像データ（ファイル）と同一の告知映像データ（ファイル）と、詳細情報提供形態の項目に「ユニット表示」が格納されているＣＭ−ＩＤのシステムコントローラ１１０や管理サーバ１４に記憶されている詳細テキストデータ（ファイル）と同一の詳細テキストデータ（ファイル）がＲＡＭ３２８ｂに記憶されるようになる。
【０１２３】
また、これらＣＭデータテーブル更新処理によってＣＭデータテーブルが更新された後、これら更新後のＣＭデータテーブルの登録データに基づいて非稼働ＣＭ表示順序データとビジターＣＭ表示順序データを更新するＣＭ表示順序データ更新処理を実施する。
【０１２４】
具体的に、例えば図４（ｂ）に示すＣＭデータテーブルのように稼働順位並びに非稼働順位が登録されている場合において、ＣＭ表示順序データ更新処理においては、該ＣＭデータテーブルの非稼働順位に対応する順位に、当該順位のＣＭ−ＩＤを登録して非稼働ＣＭ表示順序データを更新するとともに、ビジターＣＭ表示順序データについては、ＣＭデータテーブルの稼働順位が登録されているＣＭ−ＩＤの内、告知条件に会員情報に関する条件が登録されているものを除いてＣＭデータテーブルの稼働順位順にＣＭ−ＩＤを順次登録してビジターＣＭ表示順序データを更新する。
【０１２５】
次に、カードユニット３の各動作に伴う本実施例の情報提供システムの動作状況について、以下に説明すると、まず、図１３は、本実施例のカードユニット３に搭載された制御ユニット３２８が実施する通常処理の処理内容を示すフロー図であり、制御ユニット３２８は、カードユニット３への電源投入により起動されることで、Ｓｂ１の起動処理を実施して、各部の接続状況の確認や、システムコントローラ１１０への接続確認要求の送信、並びに該接続確認要求の送信に応じてシステムコントローラ１１０から返信される設定情報に基づく各設定データに初期値等を設定や、前述のように、システムコントローラ１１０から返信されるＣＭデータに基づくＣＭデータテーブル更新処理や、該更新後のＣＭデータテーブルの記憶データに基づくＣＭ表示順序データ更新処理を実施する。
【０１２６】
そして、該起動処理の実施後においてＳｂ２〜Ｓｂ８の処理を巡回実施することで、カード挿入口３０９へのカード挿入であるカード受付け、遊技者（会員またはビジター）による貸出ボタンの操作、紙幣挿入口３０２または硬貨投入口３０３からの現金の投入による現金受付け、遊技者による返却ボタンの操作、再プレイスイッチ３１９の操作、並びに携帯電話機５の受付け、を検知する待機状態となる。
【０１２７】
該待機状態において、ビジター遊技者が、例えば他のカードユニット３或いは図示しないカード発行機にて発行されたプリペイドカード、または会員遊技者が会員カードをカード挿入口３０９に挿入した場合には、該プリペイドカードの挿入に伴う挿入検知情報が内部カードリーダライタ３２７から制御ユニット３２８に出力されることで、制御ユニット３２８は、Ｓｂ２においてカード受付け有りと判断してＳｂ９に進み、図１４のカード受付け処理を実施する。
【０１２８】
このＳｂ９におけるカード受付け処理においては、図１４に示すように、まず、既に内部カードリーダライタ３２７に受付け中の会員カードまたはプリペイドカードが存在するか否かを判定し（Ｓｃ１）、受付け中の会員カードまたはプリペイドカードが存在する場合には、Ｓｃ６のステップに進んで、内部カードリーダライタ３２７に排出指示を出力することで、カード挿入口３０９に挿入されたプリペイドカード或いは会員カードを返却させて該カード受付け処理を終了する一方、受付け中のカードが存在しない場合には、Ｓｃ２のステップに進んで、カード挿入口３０９に挿入された会員カードまたはプリペイドカードの取り込み指示を内部カードリーダライタ３２７に出力して、挿入された会員カード或いはプリペイドカードを内部カードリーダライタ３２７のカードスロット内に取り込んで、該会員カード或いはプリペイドカードに記憶されている記憶データ、具体的には、当該会員カード或いはプリペイドカードの（会員）カードＩＤと遊技用残額データ等を読み出し、該読み出した（会員）カードＩＤと遊技用残額データと装置ＩＤとを含む認証要求をシステムコントローラ１１０に送信し、システムコントローラ１１０からの認証結果を受信するカード認証処理を実施する（Ｓｃ３）。
【０１２９】
この認証要求の受信に応じてシステムコントローラ１１０は、受信した認証要求に含まれる（会員）カードＩＤが、カード管理テーブルに存在するか否かを判定し、存在する場合には、該（会員）カードＩＤに対応付けて、カード管理テーブルに記憶、管理されている遊技用残額が、該受信した認証要求に含まれる遊技用残額データ、すなわち、受付けた会員カード或いはプリペイドカードから読み出した遊技用残額データから特定される遊技用残額に一致するか否かを判定し、一致することを条件に、受信した認証要求に含まれる装置ＩＤに対応するユニット管理テーブルの状況の項目を「非受付中」から「受付中」に更新し、該認証要求に含まれる（会員）カードＩＤを受付カードＩＤの項目に格納した後、認証結果として「認証ＯＫ」を返信するとともに、遊技用残額が一致しない場合には「認証ＮＧ」を返信する。
【０１３０】
また、受信した認証要求に含まれる（会員）カードＩＤが、カード管理テーブルに存在しない場合、つまり、他の遊技場にて発行された会員カード（他店会員カード）やプリペイドカード（他店プリペイドカード）である可能性がある場合にシステムコントローラ１１０は、受信した認証要求を一時記憶するとともに、カードユニット３から受信した認証要求に当該遊技場の遊技場ＩＤを付加した場外認証要求を管理サーバ１４に対して送信する。
【０１３１】
この場外認証要求の受信に応じて管理サーバ１４は、受信した場外認証要求に含まれる（会員）カードＩＤが、カード管理データベースに存在するか否かを判定し、存在する場合には、該（会員）カードＩＤに対応付けて、カード管理データベースに記憶、管理されている遊技用残額が、該受信した場外認証要求に含まれる遊技用残額データ、すなわち、受付けた会員カード（他店会員カード）或いはプリペイドカード（他店プリペイドカード）から読み出した遊技用残額データから特定される遊技用残額に一致するか否かを判定し、一致することを条件に、認証結果として「認証ＯＫ」を返信し、遊技用残額が一致しない場合並びにカード管理データベースに受信した場外認証要求に含まれる（会員）カードＩＤが存在しない場合には「認証ＮＧ」を、該場外認証要求の送信元のシステムコントローラ１１０に対して返信する。
【０１３２】
尚、該認証結果を返信する際において、認証結果が「認証ＯＫ」である場合であって、場外認証要求に含まれるカードＩＤが会員カードＩＤである場合にあっては、管理サーバ１４において、該場外認証要求に付加されている遊技場ＩＤ並びに該会員カードＩＤに対応して遊技場別会員情報データベースに記憶されている会員情報を、認証結果と共にシステムコントローラ１１０を介してカードユニット３に送信するようにして、該カードユニット３にて、会員ＣＭ表示順序更新処理を実施して、会員ＣＭ表示順序データを受信した会員情報に基づいて更新するようにしても良い。
【０１３３】
そして、管理サーバ１４から受信した認証結果が「認証ＯＫ」である場合には、一時記憶した認証要求に含まれる装置ＩＤに対応するユニット管理テーブルの状況の項目を「非受付中」から「受付中」に更新し、該認証要求に含まれる（会員）カードＩＤを受付カードＩＤの項目に格納するとともに、一時記憶した認証要求に含まれる（会員）カードＩＤと遊技用残額をカード管理テーブルに仮登録して、該会員カード（他店会員カード）或いはプリペイドカード（他店プリペイドカード）を当該遊技場において使用可能とした後、認証結果として「認証ＯＫ」を、一時記憶している認証要求に含まれる装置ＩＤのカードユニット３に対して返信して該一時記憶している認証要求を消去する一方、管理サーバ１４から受信した認証結果が「認証ＮＧ」である場合には該「認証ＮＧ」を、一時記憶している認証要求に含まれる装置ＩＤのカードユニット３に対して返信して該一時記憶している認証要求を消去する。
【０１３４】
このようにしてシステムコントローラ１１０から返信された認証結果が「認証ＮＧ」である場合には、Ｓｃ４からＳｃ１０のステップに進んで、受付けた会員カード或いはプリペイドカードの排出指示を内部カードリーダライタ３２７に出力して、挿入された会員カード或いはプリペイドカードを返却させてカード受付け処理を終了する一方、返信された認証結果が「認証ＯＫ」である場合には、Ｓｃ４からＳｃ５のステップに進んで、受付けた会員カード或いはプリペイドカードから読み出した（会員）カードＩＤと遊技用残額データを情報テーブルの受付カードＩＤと遊技用残額の各項目に格納するとともに、稼働情報の項目に格納されているデータを「稼働中」に更新した後、格納した遊技用残額データから特定される遊技用残額を、残額表示器に表示する（Ｓｃ６）。
【０１３５】
そして、Ｓｃ７のステップに進んで、情報テーブルに格納したカードＩＤが当該遊技場にて発行される会員カードＩＤ、具体的には、図１０（ｂ）の対応会員カードＩＤの範囲内に該当する会員カードＩＤであるか否かを判定して、受付けたカードが当該遊技場において発行された会員カード（ハウス会員カード）であるか否かを判定し、ハウス会員カードでない場合、つまり他店会員カードである場合には該カード受付け処理を終了して、Ｓｂ２〜Ｓｂ８の待機状態に戻る一方、ハウス会員カードである場合には、Ｓｃ８に進んで、受付けた会員カードを所有する会員遊技者の会員情報をシステムコントローラ１１０から取得する会員情報取得処理を実施し、Ｓｃ９の会員ＣＭ表示順序更新処理に進んで、図４（ｆ）に示す会員ＣＭ表示順序データを更新した後、該カード受付け処理を終了して、Ｓｂ２〜Ｓｂ８の待機状態に戻る。
【０１３６】
この本実施例の会員情報取得処理においては、具体的には、情報テーブルに格納した会員カードＩＤと装置ＩＤとを含む会員情報要求をシステムコントローラ１１０に送信することで、システムコントローラ１１０において、会員データテーブルに当該会員情報要求に含まれる会員カードＩＤに対応付けて記憶されている貯蓄玉数、暗証番号、来店ポイント、名字、名前、性別、年齢、誕生日、職業、住所を含む会員情報が抽出されて、該カードユニット３に会員情報データとして返信される。そして、該会員情報データの返信に応じて制御ユニット３２８は、受信した会員情報データに含まれる貯蓄玉数、暗証番号、来店ポイント、名字、名前、性別、年齢、誕生日、職業、住所を、図４（ｃ）に示すように、受付け会員情報として、情報テーブルに格納した会員カードＩＤに対応付けて記憶して該会員情報取得処理を終了する。
【０１３７】
また、本実施例の会員ＣＭ表示順序更新処理においては、会員情報取得処理にて取得した受付け会員情報に記憶されている会員情報と、起動処理にて更新されたＣＭデータテーブルにおいて稼働順位が登録されているＣＭの告知条件とに基づいて、受付け中の会員カードを所有する会員遊技者が該当しない告知条件に対応するＣＭを除いた各ＣＭ、つまり、該会員遊技者が告知条件を満たすＣＭのＣＭ−ＩＤを、稼働順位に従って会員ＣＭ表示順序データに記憶する。具体的に、図４（ｂ）に示すＣＭデータテーブルにおいて、図４（ｃ）に示すような男性の会員情報が受付け会員情報に記憶されている場合にあっては、稼働順位が登録されているＣＭ−ＩＤがＣＭ−０００１、ＣＭ−０００２、ＣＭ−０００３、ＣＭ−０００４、ＣＭ−０００５、…ＣＭＬ０００２の各ＣＭの内、告知条件として女性会員が登録されているＣＭ−０００３の「ダイエットビール」のＣＭを除く、その他のＣＭが、対応する稼働順位に基づく順位、すなわち、稼働順位１のＣＭＬ０００２が順序１に、稼働順位２のＣＭ−０００２が順序２に、稼働順位４のＣＭ−０００１が順序３に、…というように、各ＣＭのＣＭ−ＩＤが会員ＣＭ表示順序データに記憶される。
【０１３８】
つまり、本実施例の会員ＣＭ表示順序更新処理においては、内部カードリーダライタ３２７（会員記録媒体読み出し手段）に受付けている会員カードの会員カードＩＤに対応付けて管理サーバ１４にて管理されている会員情報、すなわち、管理サーバ１４にて会員カードＩＤに対応付けて管理されている会員情報と同一の会員情報である、受付け会員情報に記憶されている会員情報が、本発明の告知条件記憶手段となるＣＭデータテーブルに記憶されている告知条件に合致する告知映像（告知情報）を、当該会員に告知する会員告知情報として特定して会員ＣＭ表示順序データに記憶しており、該会員ＣＭ表示順序更新処理によって本発明における会員告知情報特定手段が形成されている。
【０１３９】
すなわち、該カード受付け処理においては、受付けた会員カード或いはプリペイドカードに記憶されている遊技用残額が、システムコントローラ１１０或いは管理サーバ１４に記憶・管理されている遊技用残額と一致する不正がされていない会員カード或いはプリペイドカードのみが使用可能とされるとともに、受付けたカードがハウス会員カードである場合には、そのハウス会員カードを所有する会員が該当する告知条件が設定されているＣＭのＣＭ−ＩＤが会員ＣＭ表示順序データに記憶されることで、後述するように、該会員ＣＭ表示順序データに記憶された各ＣＭ−ＩＤの告知映像が、当該会員に合致する告知映像として表示部３１２に表示されて告知されるようになる。
【０１４０】
そして、このＳｂ２〜Ｓｂ８の待機状態において、遊技者が貸出ボタンの操作を実施した場合には、該遊技者による貸出ボタンの操作を検知するための貸出ボタンスイッチからの信号が制御ユニット３２８に出力されることで、制御ユニット３２８は、Ｓｂ３のステップにおいて貸出ボタンの操作有りと判断してＳｂ１０のステップに進み、図１５の第１貸出処理を実施する。
【０１４１】
この第１貸出処理においては、図１５に示すように、まず、挿入された会員カード或いはプリペイドカードから読み出して情報テーブルに記憶した、或いは後述する入金処理にて情報テーブルに記憶した遊技用残額が、本実施例における使用単位額となる１００円と該使用単位額に相当する消費税額である５円（本実施例においては税率５％）との合計額である税込単位額となる１０５円未満であるか否かを判定し（Ｓｄ１）、遊技用残額が１０５円未満である場合には該判定において「Ｙｅｓ」と判定されて、該第１貸出処理を終了してＳｂ２〜Ｓｂ８の待機状態に戻る一方、遊技用残額が１０５円以上である場合にはＳｄ２のステップに進み、遊技用残額が本実施例において第１貸出処理の第１使用金額として設定されている５００円と該使用金額に相当する消費税額である２５円（税率５％）との合計額である第１税込使用額となる５２５円以上であるか否かを判定する。尚、以下の説明においても、残額表示器に表示されている遊技用残額とは、情報テーブルの遊技用残額の項目に記憶されている遊技用残額を示す。
【０１４２】
遊技用残額が第１税込使用額である５２５円以上である場合には、Ｓｄ２からＳｄ３のステップに進んで、使用金額玉貸処理を実施する一方、第１税込使用額である５２５円未満である場合には、Ｓｄ２からＳｄ８のステップに進んで、表示金額玉貸処理を実施する。
【０１４３】
このＳｄ３のステップにおける使用金額玉貸処理においては、第１使用金額となる５００円に相当するパチンコ玉数の払出指示、具体的に本実施例においては、１玉のパチンコ玉の貸出単価が４円であるので、５００円分に相当する１２５玉の払出指示を、対応するパチンコ機２に対して出力して該パチンコ玉数を払い出させる。
【０１４４】
そして、Ｓｄ４のステップに進み、残額表示器に表示されている遊技用残額から、税込使用額である５２５円を減算更新するとともに、情報テーブルの遊技用残額並びに受付け中の会員カード或いはプリペイドカードが存在するときには該受付け中の会員カード或いはプリペイドカードに記憶されている遊技用残額データを、第１税込使用額である５２５円を減算更新した新たな遊技用残額を特定可能な遊技用残額データに更新した後（Ｓｄ５）、システムコントローラ１１０に対して、当該カードユニット３に固有に付与された装置ＩＤと、受付け中の会員カード或いはプリペイドカードの（会員）カードＩＤ（カード受付け時のみ）と、第１税込使用額とを含む貸出完了通知を送信して（Ｓｄ６）、システムコントローラ１１０のカード管理テーブルにて該（会員）カードＩＤに対応付けて記憶されている遊技用残額から第１税込使用額を減算更新させるとともに、ユニット管理テーブルにおいて装置ＩＤに対応する本日総使用金額に該第１税込使用額を加算更新させる。
【０１４５】
そして、Ｓｄ７−のステップに進み、プリペイドカードを受付け中であるか否かを判定し、プリペイドカードを受付け中でない場合には該第１貸出処理を終了してＳｂ２〜Ｓｂ８の待機状態に戻る一方、プリペイドカードを受付け中である場合には、Ｓｄ７のステップに進み、残額表示器に表示されている新たな遊技用残額が０であるか否かを判定する。
【０１４６】
そして、該判定において遊技用残額が０でない場合には、該第１貸出処理を終了してＳｂ２〜Ｓｂ８の待機状態に戻る一方、遊技用残額が０である場合には、Ｓｄ１２のステップに進んで、当該遊技用残額が０となったプリペイドカードを内部カードリーダライタ３２７の貯留部に回収して該第１貸出処理を終了する。
【０１４７】
一方、Ｓｄ８のステップにおける表示金額玉貸処理においては、残額表示器に表示されている遊技用残額の内、使用単位額である１００円に当該使用単位額である１００円に対応する消費税額である５円の合計額である税込単位額となる１０５円の整数倍の金額で最大の金額、例えば、遊技用残額が４７５円であれば、税込単位額となる１０５円の整数倍の金額で最大の金額となる４倍に該当する４２０円に相当するパチンコ玉数の払出指示、具体的に本実施例においては、１玉のパチンコ玉の貸出単価が４円であるので、４２０円から消費税額である２０円を除いた税なし金額である４００円分に相当する１００玉の払出指示を、対応するパチンコ機２に対して出力して該パチンコ玉数を払い出させる。
【０１４８】
そして、Ｓｄ９のステップに進み、残額表示器に表示されている遊技用残額から、パチンコ玉の玉貸に使用した税込みの金額である４２０円を減算更新するとともに、情報テーブル並びに受付け中の会員カード或いはプリペイドカードが存在するときには該受付け中の会員カード或いはプリペイドカードに記憶されている遊技用残額データを、該税込みの金額である４２０円を減算更新した新たな遊技用残額を特定可能な遊技用残額データに更新した後（Ｓｄ１０）、システムコントローラ１１０に対して、当該カードユニット３に固有に付与された装置ＩＤと、受付け中のプリペイドカードのカードＩＤと、該税込みの金額である４２０円とを含む貸出完了通知を送信して（Ｓｄ１１）、システムコントローラ１１０にて（会員）カードＩＤに対応付けてカード管理テーブルに記憶されている遊技用残額から該税込みの金額を減算更新させるとともに、ユニット管理テーブルにおいて装置ＩＤに対応する本日総使用金額に該税込みの金額を加算更新させる。
【０１４９】
そして、Ｓｄ７−のステップに進み、プリペイドカードを受付け中であるか否かを判定し、プリペイドカードを受付け中でない場合には該第１貸出処理を終了してＳｂ２〜Ｓｂ８の待機状態に戻る一方、プリペイドカードを受付け中である場合には、Ｓｄ７のステップに進み、残額表示器に表示されている新たな遊技用残額が０であるか否かを判定する。
【０１５０】
そして、該判定において遊技用残額が０でない場合には、該第１貸出処理を終了してＳｂ２〜Ｓｂ８の待機状態に戻る一方、遊技用残額が０である場合には、Ｓｄ１２のステップに進んで、当該遊技用残額が０となったプリペイドカードを内部カードリーダライタ３２７の貯留部に回収して該第１貸出処理を終了する。
【０１５１】
また、前記したＳｂ２〜Ｓｂ８の待機状態において、遊技者が紙幣挿入口３０２または硬貨投入口３０３から現金を投入した場合には、該現金の投入に伴う貨幣識別情報が紙幣識別ユニット３２１や硬貨識別ユニット３２２から制御ユニット３２８に出力されることで、制御ユニット３２８は、Ｓｂ４のステップにおいて現金の受付け有りと判断してＳｂ１１のステップに進み、図１６の入金処理を実施する。
【０１５２】
この入金処理においては、図１６に示すように、まず、入力された貨幣識別情報から投入された貨幣の投入金額を特定する。尚、特定した投入金額が硬貨による金額、具体的には５００円硬貨や１００円硬貨の投入による１０００円未満の金額である場合には、さらに硬貨が追加投入されることが考えられるので、貨幣識別情報の入力から所定時間、例えば５秒が経過するまで、さらなる貨幣識別情報の入力待ち状態となり、複数の貨幣識別情報が入力された場合には、各貨幣識別情報から特定される識別金額の総額を投入金額として特定する（Ｓｇ１）。
【０１５３】
そして、Ｓｇ２のステップに進み、内部カードリーダライタ３２７に受付け中の会員カード或いはプリペイドカードが存在するか否かを判定し、受付け中の会員カード或いはプリペイドカードが存在しない場合、具体的には、情報テーブルの受付カードＩＤに（会員）カードＩＤが格納されていない場合には、Ｓｇ３のステップに進んで、Ｓｇ１のステップにて特定した投入金額を、情報テーブルの遊技用残額（０円を含む）に加算更新した後、該加算更新した入金金額（投入金額に同じ）と当該カードユニット３の装置ＩＤとを含む入金通知をシステムコントローラ１１０に送信して、該システムコントローラ１１０においてユニット管理テーブルにて当該装置ＩＤに対応して記憶されている本日総入金額に入金金額を加算更新させてＳｇ５のステップに進む一方、受付け中の会員カード或いはプリペイドカードが存在する場合（情報テーブルの受付カードＩＤに（会員）カードＩＤが格納されている場合）には、該Ｓｇ６のステップに進んで、Ｓｇ１のステップにて特定した投入金額を、受付け中の会員カード或いはプリペイドカード（並びに情報テーブル）に記憶されている遊技用残額データから特定される遊技用残額に加算して、該遊技用残額データを加算後の新たな遊技用残額を特定可能な遊技用残額データに更新した後、該入金金額（投入金額に同じ）と当該カードユニット３の装置ＩＤと、受付け中の会員カード或いはプリペイドカードの（会員）カードＩＤとを含むカード入金通知をシステムコントローラ１１０に送信して、該システムコントローラ１１０のカード管理テーブルにおいて該（会員）カードＩＤに対応して記憶されている遊技用残額に該入金金額を加算更新させるとともに、ユニット管理テーブルにて当該装置ＩＤに対応して記憶されている本日総入金額に入金金額を加算更新させてＳｇ５のステップに進む。
【０１５４】
そして、Ｓｇ５のステップにおいては、残額表示器に表示されている遊技用残額を、情報テーブル（受付け中の会員カード或いはプリペイドカード）の遊技用残額に記憶されている加算更新後の新たな遊技用残額に更新表示して、該入金処理を終了してＳｂ２〜Ｓｂ８の待機状態に戻る。
【０１５５】
尚、本実施例では、入金処理を、加算更新前の遊技用残額に依存することなく、実施できるようにしているが、本発明はこれに限定されるものではなく、これら入金処理を、加算更新前の遊技用残額が所定金額、例えば１０００円以下となった場合にのみ、実施できるようにして、遊技用残額が不必要に大きくなることで、該大きな遊技用残額のプリペイドカードを紛失する等の遊技者の不利益や、遊技への過度ののめり込みを防止できるようにしても良い。
【０１５６】
また、前述したＳｂ２〜Ｓｂ８の待機状態において、遊技者が返却ボタンの操作を実施した場合には、遊技者による返却ボタンの操作を検知するための返却タンスイッチからの信号が制御ユニット３２８に出力されることで、制御ユニット３２８は、Ｓｂ５において返却ボタンの操作有りと判断してＳｂ１２に進み、図１７の返却・発行処理を実施する。
【０１５７】
この返却・発行処理においては、図１７に示すように、まず、内部カードリーダライタ３２７に受付け中の会員カード或いはプリペイドカードが存在するか否かを判定し（Ｓｆ１）、存在する場合には、排出指示を内部カードリーダライタ３２７に出力することで、該内部カードリーダライタ３２７に受付け中の会員カード或いはプリペイドカードを、排出させて返却するとともに（Ｓｆ６）、該返却した会員カード或いはプリペイドカードの（会員）カードＩＤと当該カードユニット３の装置ＩＤとを含む返却通知をシステムコントローラ１１０に送信して、（会員）カードＩＤから特定される会員カード或いはプリペイドカードが返却されたことをシステムコントローラ１１０に通知するとともに、受付け会員情報と、情報テーブルの受付けカードＩＤと遊技用残額とを削除する。
【０１５８】
この返却通知の受信に基づいてシステムコントローラ１１０は、ユニット管理テーブルの該受信した返却通知に含まれる装置ＩＤに対応する状況を「非受付中」に更新するとともに、対応する「受付カードＩＤ」の項目に格納されているカードＩＤを削除し、更に、該返却通知に含まれる（会員）カードＩＤが、カード管理テーブルに仮登録されている他の遊技場において発行された会員カード或いはプリペイドカードである場合には、該カード管理テーブルに仮登録されている（会員）カードＩＤと遊技用残額とを含む残額更新情報を管理サーバ１４に送信して、管理サーバ１４のカード管理データベースにて当該（会員）カードＩＤに対応して記憶・管理されている遊技用残額を更新させた後、当該仮登録のデータをカード管理テーブルから削除する。
【０１５９】
一方、内部カードリーダライタ３２７に受付け中の会員カード或いはプリペイドカードが存在しない場合には、Ｓｆ１からＳｆ２のステップに進み、情報テーブルの遊技用残額の項目に記憶されている遊技用残額データから特定される遊技用残額が存在するか否かを判定し、遊技用残額が存在しない場合、つまり、遊技用残額が０円である場合には、該返却・発行処理を終了する一方、遊技用残額が存在する、つまり０円ではない場合には、Ｓｆ３のステップに進み、内部カードリーダライタ３２７の貯留部に貯留されているプリペイドカードを、内部カードリーダライタ３２７のカードスロットの読み出し位置まで移動させて、該発行に使用するプリペイドカードの記憶データ、具体的にはカードＩＤを読み出すとともに、情報テーブルの遊技用残額の項目に記憶されている遊技用残額データを該プリペイドカードに書き込んで、遊技用残額データを更新した後、当該プリペイドカードをカード挿入口３０９から排出させて、その時点にて残額表示器に表示されている遊技用残額を特定可能な遊技用残額データが記憶されたプリペイドカードを遊技者に対して発行する（Ｓｆ４）。尚、Ｓｆ３のステップにおいて、貯留部に貯留されているプリペイドカードが存在しない場合には、表示部３１２にエラーを表示して、プリペイドカードの挿入待ち状態となり、カード挿入口３０９から発行用のカードが挿入されることで、当該挿入されたプリペイドカードを発行に使用する。
【０１６０】
そして、Ｓｆ５のステップに進み、情報テーブルの遊技用残額の項目に記憶されている遊技用残額データを「０」に更新するとともに、当該カードユニット３の装置ＩＤと、Ｓｆ３のステップにおいて、発行するプリペイドカードから読み出したカードＩＤと、該プリペイドカードに書き込み記憶した遊技用残額データを含む発行通知を、システムコントローラ１１０に送信することにより、該システムコントローラ１１０にて、該発行されたプリペイドカードのカードＩＤに対応付けてカード管理テーブルに記憶されている遊技用残額が発行されたプリペイドカードに記憶されている遊技用残額に更新されることで、該プリペイドカードを他のカードユニット３や図示しない精算装置にて使用できるようになる。
【０１６１】
尚、本実施例では、前述の第１使用処理において、会員カード或いはプリペイドカードに記憶された遊技用残額データを遊技用残額が玉貸に使用される毎に逐次更新することで、返却操作時に遊技用残額データを更新することなく会員カードやプリペイドカードを返却するようにしているが、本発明はこれに限定されるものではなく、これら遊技用残額が玉貸に使用される毎に会員カードやプリペイドカードの遊技用残額データを更新せずに、情報テーブルの遊技用残額の項目に記憶されている遊技用残額データだけ更新しておいて、返却時においてその時点にて情報テーブルの遊技用残額の項目に記憶されている遊技用残額データをプリペイドカードの遊技用残額データとして更新記憶して返却するようにしても良い。
【０１６２】
また、前述したＳｂ２〜Ｓｂ８の待機状態において、遊技者が再プレイスイッチ３１９の操作を実施した場合には、遊技者による再プレイスイッチ３１９の操作を検知するための信号が制御ユニット３２８に出力されることで、制御ユニット３２８は、Ｓｂ６において再プレイスイッチ３１９の操作有りと判断してＳｂ１３に進み、図１８の再プレイ処理を実施する。
【０１６３】
この再プレイ処理においては、図１８に示すように、まず、受付け会員情報の照合済みの項目に、照合済みを示す「１」が登録されているか否かを判定し（Ｓｅ１）、「１」が登録されている場合にはＳｅ５のステップに進む一方、「１」が登録されていない場合にはＳｅ２のステップに進んで、暗証番号を受付けるためのテンキー等を含む図示しない暗証番号受付け画面を表示部３１２に表示して、暗証番号の受付けを実施する。
【０１６４】
そして、該暗証番号受付け画面にて受付けた暗証番号と、受付け会員情報の暗証番号の項目に格納されている暗証番号とが一致するか否かを照合し、双方の暗証番号が一致しない場合には、該再プレイ処理を終了してＳｂ２〜Ｓｂ８の待機状態に戻る一方、双方の暗証番号が一致する場合にはＳｅ３からＳｅ４のステップに進んで、照合済みを示す「１」を受付け会員情報の照合済みの項目に登録した後、Ｓｅ５のステップに進む。
【０１６５】
このＳｅ５のステップにおいては、受付け会員情報に記憶されている貯蓄玉数を表示部３１２に表示して、会員遊技者に該貯蓄玉数を報知する。
【０１６６】
そして、Ｓｅ６のステップに進んで、該貯蓄玉数が再プレイに設定されている再プレイ単位数、具体的に本実施例では、５００円分に相当する１２５玉と、再プレイ手数料となる１０玉との合計数である１３５玉以上存在するか否かを判定し、再プレイ単位数以上の貯蓄玉数が存在しない場合には、Ｓｅ１２のステップに進んで、再プレイが不可である旨を示すメッセージを表示部３１２に表示した後、該再プレイ処理を終了してＳｂ２〜Ｓｂ８の待機状態に戻る一方、再プレイ単位数以上の貯蓄玉数が存在する場合には、Ｓｅ７のステップに進んで、再プレイ表示部３２０（再プレイＬＥＤ３２０ａ）を点灯して再プレイスイッチ３１９の操作が有効であることを会員遊技者に報知するとともに、表示部３１２に再プレイスイッチ３１９の操作を促すメッセージを表示した後、再プレイスイッチ３１９の操作待ち状態となる。
【０１６７】
そして、所定時間内に再プレイスイッチ３１９の操作が無い場合には、該再プレイ処理を終了してＳｂ２〜Ｓｂ８の待機状態に戻る一方、所定時間内に再プレイスイッチ３１９の操作が有った場合には、Ｓｅ８からＳｅ９のステップに進んで、受付け会員情報に記憶されている貯蓄玉数から、再プレイ単位数（１３５玉）を減算更新するとともに、再プレイ表示部３２０（再プレイＬＥＤ３２０ａ）を消灯した後、Ｓｅ１０のステップにおける再プレイ玉貸処理を実施する。この本実施例の再プレイ玉貸処理においては、再プレイ単位数（１３５玉）に対応するパチンコ玉数、具体的には、再プレイ単位数（１３５玉）から手数料を除いた１２５玉のパチンコ玉の払出指示を、対応するパチンコ機２に対して出力して該パチンコ玉数を払い出させる。
【０１６８】
そして、Ｓｅ１１のステップに進んで、該カードユニット３の装置ＩＤと、受付け中の会員カードの会員カードＩＤとを含む再プレイ完了通知をシステムコントローラ１１０に対して送信することで、該システムコントローラ１１０の会員データテーブルにおいて該会員カードＩＤに対応して記憶されている貯蓄玉数から再プレイ単位数（１３５玉）を減算更新させた後、該再プレイ処理を終了してＳｂ２〜Ｓｂ８の待機状態に戻る。
【０１６９】
次に、Ｓｂ７以降の処理を、携帯電話機５側で実施される図示しない電子マネー使用処理とともに説明する。具体的には、遊技者が携帯電話機５をカードユニット３の電子マネー通信部３３２（外部カードリーダライタ３３０）に近接させることにより、携帯電話機５の非接触ＩＣチップが、Ｓｂ７で送信されるポーリングを受信し、非接触ＩＣチップにより電子マネー使用処理が実施される。
【０１７０】
このＳｂ７のポーリング送信に応じて、携帯電話機５のＩＣチップから送信される、電子マネー額を含む特定取引要求を外部カードリーダライタ３３０が受信した場合には、該受信した特定取引要求が外部カードリーダライタ３３０から制御ユニット３２８に出力されることで、制御ユニット３２８は、Ｓｂ８のステップにおいて特定取引要求の受信有りと判断してＳｂ１４のステップに進み、受信した特定取引要求に含まれる電子マネー額（当該電子マネー会社の会社ＩＤを含む）を一時記憶するとともに、受付け中の会員カードまたはプリペイドカードが存在するか否かを判定し、受付け中の会員カードまたはプリペイドカードが存在しない場合にはＳｂ１５のステップに進んで、図１９に示す第２貸出処理を実施する一方、受付け中の会員カードまたはプリペイドカードが存在する場合には、Ｓｂ１６のステップに進んで、図２０に示す第２入金処理を実施する。
【０１７１】
この本実施例の第２貸出処理においては、図１９に示すように、Ｓｂ１４のステップにおいて一時記憶した電子マネー額が、税込単位額となる１０５円未満であるか否かを判定し（Ｓｈ１）、該税込単位額となる１０５円未満である場合には、Ｓｈ６のステップに進んで、受付け中の携帯電話機５の非接触ＩＣチップに対して残額エラーを送信（返信）する。
【０１７２】
このようにして送信（返信）された残額エラーは、非接触ＩＣチップにて受信され、該非接触ＩＣチップから携帯電話機５の動作を制御する図示しない制御部に対してエラー情報（残額不足）が送信されることで、該携帯電話機５の表示部に電子マネーの残額が不足している旨のメッセージが所定時間に亘り表示される。
【０１７３】
一方、電子マネー額が税込単位額となる１０５円未満でない場合には、Ｓｈ２のステップに進んで、該電子マネー額が第２貸出処理の第２使用金額として設定されている１０００円と該第２使用金額に相当する消費税額である５０円（税率５％）との合計額である第２税込使用額である１０５０円以上であるか否かを判定する。
【０１７４】
該判定において、電子マネー額が第２税込使用額である１０５０円以上である場合には、Ｓｈ３のステップに進み、該第２税込使用額である１０５０円と当該カードユニット３の装置ＩＤとを含む特定取引情報を受付け中の携帯電話機５の非接触ＩＣチップに対して送信（返信）する。
【０１７５】
このようにして送信（返信）された特定取引情報は、非接触ＩＣチップが実施する図示しない電子マネー使用処理にて検知されることにより、該受信した特定取引情報に含まれる第２税込使用額である１０５０円が、該非接触ＩＣチップに記憶されている電子マネー額から減算更新された後、減算更新完了通知が返信される。
【０１７６】
該送信された減算更新完了通知の受信は、第２貸出処理のＳｈ４において検知されてＳｈ５のステップに進み、特定取引情報として送信した第２税込使用額である１０５０円に相当するパチンコ玉数、すなわち第２使用金額として設定されている１０００円を４円にて除した玉数である２５０個の払出指示を、対応するパチンコ機２に対して出力して該パチンコ玉数を払い出させる玉貸処理を実施するとともに、Ｓｈ６のステップに進み、当該カードユニット３に固有に付与された装置ＩＤと、第２税込使用額と、使用した電子マネー額の会社ＩＤとを含む貸出完了通知をシステムコントローラ１１０に送信して、ユニット管理テーブルにおいて該装置ＩＤに対応する本日総使用金額に第２税込使用額を加算更新させた後、該第２貸出処理を終了してＳｂ２〜Ｓｂ８の待機状態に戻る。
【０１７７】
一方、Ｓｈ２の判定において、電子マネー額が税込使用額である１０５０円以上でない場合には、Ｓｈ７のステップに進み、電子マネー額の内、税込単位額となる１０５円の整数倍の金額で最大の金額、例えば、電子マネー額が７００円であれば、税込単位額となる１０５円の整数倍の金額で最大の金額となる６倍に該当する６３０円を特定し、該特定した金額である６３０円と当該カードユニット３の装置ＩＤとを含む特定取引情報を受付け中の携帯電話機５の非接触ＩＣチップに対して送信（返信）する（Ｓｈ８）。
【０１７８】
このようにして送信（返信）された特定取引情報は、非接触ＩＣチップが実施する図示しない電子マネー使用処理にて検知されることにより、該受信した特定取引情報に含まれる金額である６３０円が、該非接触ＩＣチップに記憶されている電子マネー額から減算更新された後、減算更新完了通知が返信される。
【０１７９】
該送信された減算更新完了通知の受信は、第２貸出処理のＳｈ４において検知されてＳｈ５のステップに進み、特定取引情報として送信した金額である６３０円に相当するパチンコ玉数、すなわち消費税額である３０円を除いた６００円を４円にて除した玉数である１５０個の払出指示を、対応するパチンコ機２に対して出力して該パチンコ玉数を払い出させる玉貸処理を実施するとともに、Ｓｈ６のステップに進み、当該カードユニット３に固有に付与された装置ＩＤと、Ｓｈ７のステップにて特定した金額（６３０円）と、使用した電子マネー額の会社ＩＤとを含む貸出完了通知をシステムコントローラ１１０に送信して、ユニット管理テーブルにおいて該装置ＩＤに対応する本日総使用金額にＳｈ７のステップにて特定した金額（６３０円）を加算更新させた後、該第２貸出処理を終了してＳｂ２〜Ｓｂ８の待機状態に戻る。
【０１８０】
次に、本実施例における第２入金処理においては、図２０に示すように、Ｓｂ１４のステップにおいて一時記憶した電子マネー額が、税込単位額となる１０５円未満であるか否かを判定し（Ｓｋ１）、該税込単位額となる１０５円未満である場合には、Ｓｋ８のステップに進んで、受付け中の携帯電話機５の非接触ＩＣチップに対して残額エラーを送信（返信）する。
【０１８１】
このようにして送信（返信）された残額エラーは、非接触ＩＣチップにて受信され、該非接触ＩＣチップから携帯電話機５の動作を制御する図示しない制御部に対してエラー情報（残額不足）が送信されることで、該携帯電話機５の表示部に電子マネーの残額が不足している旨のメッセージが所定時間に亘り表示される。
【０１８２】
一方、電子マネー額が税込単位額となる１０５円未満でない場合には、Ｓｋ２のステップに進んで、該電子マネー額が第２入金処理の第２入金金額として設定されている１０００円と該第２入金金額に相当する消費税額である５０円（税率５％）との合計額である第２税込入金額である１０５０円以上であるか否かを判定する。
【０１８３】
該判定において、電子マネー額が第２税込入金額である１０５０円以上である場合には、Ｓｋ３のステップに進み、該第２税込入金額である１０５０円と当該カードユニット３の装置ＩＤとを含む特定取引情報を受付け中の携帯電話機５の非接触ＩＣチップに対して送信（返信）する。
【０１８４】
このようにして送信（返信）された特定取引情報は、非接触ＩＣチップが実施する図示しない電子マネー使用処理にて検知されることにより、該受信した特定取引情報に含まれる第２税込使用額である１０５０円が、該非接触ＩＣチップに記憶されている電子マネー額から減算更新された後、減算更新完了通知が返信される。
【０１８５】
該送信された減算更新完了通知の受信は、第２貸出処理のＳｋ４において検知されてＳｋ５のステップに進み、特定取引情報として送信した第２税込入金額を、受付け中の会員カード或いはプリペイドカード（並びに情報テーブル）に記憶されている遊技用残額データから特定される遊技用残額に加算して、該遊技用残額データを加算後の新たな遊技用残額を特定可能な遊技用残額データに更新した後、該第２税込入金額と当該カードユニット３の装置ＩＤと、受付け中のプリペイドカードのカードＩＤと、電子マネーＩＤとを含むカード入金通知をシステムコントローラ１１０に送信して、該システムコントローラ１１０のカード管理テーブルにおいて該（会員）カードＩＤに対応して記憶されている遊技用残額に該第２税込入金額を加算更新させるとともに、ユニット管理テーブルにて当該装置ＩＤに対応して記憶されている本日総入金額に第２税込入金額を加算更新させた後、Ｓｋ７のステップに進んで、残額表示器に表示されている遊技用残額を、情報テーブル（受付け中の会員カード或いはプリペイドカード）の遊技用残額に記憶されている加算更新後の新たな遊技用残額に更新表示して、該第２入金処理を終了してＳｂ２〜Ｓｂ８の待機状態に戻る。
【０１８６】
一方、Ｓｋ２の判定において、電子マネー額が第２税込入金額である１０５０円以上でない場合には、Ｓｋ９のステップに進み、電子マネー額の内、税込単位額となる１０５円の整数倍の金額で最大の金額、例えば、電子マネー額が７００円であれば、税込単位額となる１０５円の整数倍の金額で最大の金額となる６倍に該当する６３０円を特定し、該特定した金額である６３０円と当該カードユニット３の装置ＩＤとを含む特定取引情報を受付け中の携帯電話機５の非接触ＩＣチップに対して送信（返信）する（Ｓｋ１０）。
【０１８７】
このようにして送信（返信）された特定取引情報は、非接触ＩＣチップが実施する図示しない電子マネー使用処理にて検知されることにより、該受信した特定取引情報に含まれる金額である６３０円が、該非接触ＩＣチップに記憶されている電子マネー額から減算更新された後、減算更新完了通知が返信される。
【０１８８】
該送信された減算更新完了通知の受信は、第２貸出処理のＳｋ４において検知されてＳｋ５のステップに進み、特定取引情報として送信したＳｋ９にて特定した金額である６３０円を、受付け中の会員カード或いはプリペイドカード（並びに情報テーブル）に記憶されている遊技用残額データから特定される遊技用残額に加算して、該遊技用残額データを加算後の新たな遊技用残額を特定可能な遊技用残額データに更新した後、該Ｓｋ９にて特定した金額である６３０円と当該カードユニット３の装置ＩＤと、受付け中のプリペイドカードのカードＩＤと、電子マネーＩＤとを含むカード入金通知をシステムコントローラ１１０に送信して、該システムコントローラ１１０のカード管理テーブルにおいて該（会員）カードＩＤに対応して記憶されている遊技用残額に該Ｓｋ９にて特定した金額である６３０円を加算更新させるとともに、ユニット管理テーブルにて当該装置ＩＤに対応して記憶されている本日総入金額にＳｋ９にて特定した金額である６３０円を加算更新させた後、Ｓｋ７のステップに進んで、残額表示器に表示されている遊技用残額を、情報テーブル（受付け中の会員カード或いはプリペイドカード）の遊技用残額に記憶されている加算更新後の新たな遊技用残額に更新表示して、該第２入金処理を終了してＳｂ２〜Ｓｂ８の待機状態に戻る。
【０１８９】
次に、カードユニット３（制御ユニット３２８）にて、前述の図１３に示す通常処理と並列実施される割込監視処理について、図２１に基づいて以下に説明する。
【０１９０】
本実施例の割込監視処理においては、図２１に示すように、Ｓｗ１〜Ｓｗ６の各ステップを巡回実施することで、遊技者（会員またはビジター）によるメニュースイッチ３１６の操作受付け、データスイッチ３１８の操作受付け、表示更新タイマのタイマアップ、表示部３１２に表示される告知映像画面における「詳細情報」の選択入力部の操作受付け、アウト玉計数信号の入力、非稼働判定タイマのタイマアップ、を検知する監視状態となる。
【０１９１】
該監視状態において、遊技者（会員またはビジター）がメニュースイッチ３１６を操作した場合には、該操作がＳｗ１にて検知されてＳｗ７に進み、メインメニュー受付け処理を起動させた後、Ｓｗ１〜Ｓｗ６の監視状態に戻る。
【０１９２】
このＳｗ７おいて起動された本実施例のメインメニュー受付け処理においては、予め定められたメニュー項目、具体的には、対応するパチンコ機２の台情報を表示する台情報メニュー項目や、対応するパチンコ機２の台データを表示する台データメニュー項目や、会員カードを受付け中において選択可能となる来店ポイントや貯蓄玉数等の会員情報を確認する会員情報確認メニュー項目等の複数のメニュー項目が選択可能に表示されたメインメニュー画面を表示部３１２に表示してメニュー項目の選択操作を受付ける。
【０１９３】
そして、これらメインメニュー画面にて受付けたメニュー項目、例えば会員情報確認メニュー項目の操作を受付けた場合には、受付け会員情報に記憶されている来店ポイントや貯蓄玉数等の会員情報を、表示部３１２に表示する処理を実施する。尚、これらの表示部３１２への会員情報等の表示に際しては、後述する表示更新タイマがリセットされることで、表示更新タイマがタイマアップするまでの間において継続表示され、その後においては各告知映像が順次表示される。
【０１９４】
また、Ｓｗ１〜Ｓｗ６の監視状態において、遊技者（会員またはビジター）がデータスイッチ３１８を操作した場合には、該操作がＳｗ２にて検知されてＳｗ８に進み、台データ表示処理を起動させた後、Ｓｗ１〜Ｓｗ６の監視状態に戻る。
【０１９５】
このＳｗ８おいて起動された本実施例の台データ表示処理においては、まず、当該カードユニット３の装置ＩＤと対応するパチンコ機２の台番号を含む台データ要求を、図示しないホールコンピュータに対して送信して、該ホールコンピュータから対応するパチンコ機２の台データ、具体的には、大当り回数や、大当り確率や、大当り間始動回数等のデータを取得して、該取得した台データを表示部３１２に表示する処理が実施される。尚、これら台データの表示部３１２への表示に際しては、後述する表示更新タイマがリセットされることで、表示更新タイマがタイマアップするまでの間において継続表示され、その後においては各告知映像が順次表示される。
【０１９６】
また、Ｓｗ１〜Ｓｗ６の監視状態において、表示部３１２における表示を告知映像に変更したり、表示部３１２に表示されている告知映像を次の告知映像に変更するための表示更新タイマがタイマアップした場合には、該タイマアップがＳｗ３にて検知されてＳｗ９に進み、図２２に示す告知映像更新処理を起動させた後、Ｓｗ１〜Ｓｗ６の監視状態に戻る。
【０１９７】
このＳｗ９おいて起動された本実施例の告知映像更新処理においては、図２２に示すように、まず、情報テーブルの稼働情報の項目に格納されているデータに基づいて、対応するパチンコ機２が稼働中であるか否かを判定する（Ｓｊ１）。
【０１９８】
そして、稼働中でない場合、つまり、会員カード或いはプリペイドカードのいずれも受付けておらず、且つ、遊技用残額も残存しておらず、更にアウト玉計数信号の入力があってから非稼働判定タイマに設定されている所定時間が経過している場合には、Ｓｊ５のステップに進んで、情報テーブルの表示ＣＭ−ＩＤの項目に記憶されているＣＭ−ＩＤと、非稼働ＣＭ表示順序データ（図４（ｄ））とに基づいて、表示部３１２に表示する告知映像のＣＭ−ＩＤを特定する。具体的には、非稼働ＣＭ表示順序データ（図４（ｄ））において、表示ＣＭ−ＩＤの項目に記憶されているＣＭ−ＩＤの順序の次順序に対応して記憶されているＣＭ−ＩＤを特定する。尚、表示ＣＭ−ＩＤの項目にＣＭ−ＩＤが記憶されていない場合には、順序「１」のＣＭ−ＩＤを特定する。
【０１９９】
そして、Ｓｊ６のステップに進んで、該特定したＣＭ−ＩＤに対応する告知映像データ、すなわち、本実施例であれば、該ＣＭ−ＩＤをファイル名に有する告知映像データを読み出して、表示部３１２に表示した後、該ＣＭ−ＩＤを情報テーブルの表示ＣＭ−ＩＤの項目に格納して情報テーブルを更新するとともに、表示更新タイマをリセットして該告知映像更新処理を終了する。
【０２００】
一方、情報テーブルの稼働情報の項目に格納されているデータが「稼働中」である場合には、Ｓｊ１からＳｊ２のステップに進み、受付け会員情報の記憶が有るか否か、つまり、当該遊技場にて発行されたハウス会員カードを受付け中であるか否かを判定する。
【０２０１】
ハウス会員カードを受付け中でない場合、つまり、プリペイドカードを受付け中か、或いは、他の遊技場にて発行された会員カードを受付け中の場合にはＳｊ４のステップに進み、情報テーブルの表示ＣＭ−ＩＤの項目に記憶されているＣＭ−ＩＤと、ビジターＣＭ表示順序データ（図４（ｅ））とに基づいて、表示部３１２に表示する告知映像のＣＭ−ＩＤを特定する。具体的には、ビジターＣＭ表示順序データ（図４（ｅ））において、表示ＣＭ−ＩＤの項目に記憶されているＣＭ−ＩＤの順序の次順序に対応して記憶されているＣＭ−ＩＤを特定する。尚、表示ＣＭ−ＩＤの項目にＣＭ−ＩＤが記憶されていない場合には、順序「１」のＣＭ−ＩＤを特定する。
【０２０２】
そして、Ｓｊ６のステップに進んで、該特定したＣＭ−ＩＤに対応する告知映像データ、すなわち、本実施例であれば、該ＣＭ−ＩＤをファイル名に有する告知映像データを読み出して、表示部３１２に表示した後、該ＣＭ−ＩＤを情報テーブルの表示ＣＭ−ＩＤの項目に格納して情報テーブルを更新するとともに、表示更新タイマをリセットして該告知映像更新処理を終了する。
【０２０３】
また、ハウス会員カードを受付け中である場合には、Ｓｊ２からＳｊ３のステップに進み、情報テーブルの表示ＣＭ−ＩＤの項目に記憶されているＣＭ−ＩＤと、会員ＣＭ表示順序データ（図４（ｆ））とに基づいて、表示部３１２に表示する告知映像のＣＭ−ＩＤを特定する。具体的には、ビジターＣＭ表示順序データ（図４（ｆ））において、表示ＣＭ−ＩＤの項目に記憶されているＣＭ−ＩＤの順序の次順序に対応して記憶されているＣＭ−ＩＤを特定する。尚、表示ＣＭ−ＩＤの項目にＣＭ−ＩＤが記憶されていない場合には、順序「１」のＣＭ−ＩＤを特定する。
【０２０４】
そして、Ｓｊ６のステップに進んで、該特定したＣＭ−ＩＤに対応する告知映像データ、すなわち、本実施例であれば、該ＣＭ−ＩＤをファイル名に有する告知映像データを読み出して、表示部３１２に表示した後、該ＣＭ−ＩＤを情報テーブルの表示ＣＭ−ＩＤの項目に格納して情報テーブルを更新するとともに、表示更新タイマをリセットして該告知映像更新処理を終了する。
【０２０５】
つまり、本実施例のカードユニット３においては、表示更新タイマがタイマアップする毎、すなわち、表示更新タイマに設定されている所定時間が経過する毎に、告知映像更新処理が実施されることで、ハウス会員カードを受付け中の場合には、本発明の会員告知情報特定手段となる会員ＣＭ表示順序データ更新処理にて、当該会員遊技者に告知する告知映像として特定されて会員ＣＭ表示順序データに登録された各ＣＭ−ＩＤの告知映像が、会員ＣＭ表示順序データの設定順に表示部３１２に表示され、稼働中であってハウス会員カードを受付けていない場合にはビジターＣＭ表示順序データの設定順に、稼働中において告知される各告知映像が順次表示され、非稼働中である場合には、非稼働ＣＭ表示順序データの設定順に、非稼働中において告知される各告知映像が順次表示されるようになる。
【０２０６】
尚、これら表示部３１２に告知映像を表示する場合には、図２６（ａ）や図２７（ａ）に示すように、表示画面の下方位置に「詳細情報」の選択入力部が、遊技者が選択操作可能に表示される。
【０２０７】
つまり、本実施例のカードユニット３の表示部３１２には、遊技場（店舗）において遊技者（来店者）に対し告知映像（告知情報）が表示されており、該表示部３１２が本発明の表示手段を構成するとともに、該表示部３１２を備えるカードユニット３が本発明における情報表示装置に該当する。
【０２０８】
また、本実施例のカードユニット３は、告知映像更新処理において、稼働状況判定手段を成す後述する稼働情報更新処理による判定結果、すなわち、該稼働情報更新処理にて更新された稼働情報が稼働状態を示す「稼働中」であるときには、本発明の分類設定手段となる管理サーバ１４のＣＭ情報設定画面にて、告知条件として稼働中が設定された稼働告知映像（稼働告知情報）を表示部３１２に表示する一方、稼働情報更新処理にて更新された稼働情報が非稼働状態を示す「非稼働中」であるときには、本発明の分類設定手段となる管理サーバ１４のＣＭ情報設定画面にて、告知条件として非稼働中が設定された非稼働告知映像（非稼働告知情報）を表示部３１２に表示している。
【０２０９】
また、Ｓｗ１〜Ｓｗ６の監視状態において、遊技者（会員またはビジター）が、前述の告知映像更新処理にて表示部３１２に表示された各告知映像における「詳細情報」の選択入力部を操作した場合には、該操作がＳｗ４にて検知されてＳｗ１０に進み、図２３に示す詳細情報提供処理を起動させた後、Ｓｗ１〜Ｓｗ６の監視状態に戻る。
【０２１０】
このＳｗ１０おいて起動された本実施例の詳細情報提供処理においては、図２３に示すように、前述の表示更新タイマを一時停止させた後（Ｓｔ１）、表示部３１２に表示中の告知映像の詳細情報提供形態としてユニット表示が設定されているか否かを判定する（Ｓｔ２）。具体的には、ＣＭデータテーブルにおいて、情報テーブルの表示ＣＭ−ＩＤの項目に記憶されているＣＭ−ＩＤと同一のＣＭ−ＩＤに対応する詳細情報提供形態の項目に格納されているデータが「ユニット表示」であるか否かを判定する。
【０２１１】
そして、表示中の告知映像（ＣＭ）の詳細情報提供形態としてユニット表示が設定されている場合には、Ｓｔ１７のステップに進んで、表示中の告知映像（ＣＭ）のＣＭ−ＩＤに対応する詳細テキスト、すなわち、本実施例であれば、情報テーブルの表示ＣＭ−ＩＤの項目に記憶されているＣＭ−ＩＤをファイル名に有する詳細テキストデータを読み出して、表示部３１２に表示した後、Ｓｔ１８のステップに進んで、Ｓｔ１にて一時停止させた表示更新タイマをリセットして該詳細情報提供処理を終了することで、遊技者が何らかの操作をしない限り、表示更新タイマがタイマアップするまでの期間において詳細テキストデータが表示部３１２に継続表示される。
【０２１２】
つまり、本実施例のカードユニット３は、所定操作時点となる「詳細情報」の選択入力部の選択入力時点において表示部３１２に表示している告知映像（告知情報）に対応する詳細情報が、表示部３１２に表示する設定、すなわち、詳細情報提供形態としてユニット表示が設定されている告知映像（告知情報）の詳細テキストデータであるときには、該詳細テキストデータを表示部３１２に表示する。
【０２１３】
一方、表示部３１２に表示中の告知映像の詳細情報提供形態としてユニット表示が設定されていない場合、つまり、ＣＭデータテーブルにおいて、情報テーブルの表示ＣＭ−ＩＤの項目に記憶されているＣＭ−ＩＤと同一のＣＭ−ＩＤに対応する詳細情報提供形態の項目に格納されているデータが「電子メール」である場合には、Ｓｔ２からＳｔ３のステップに進んで、会員カード（当該遊技場にて発行されたハウス会員カード）を受付け中であるか否かを、具体的には、受付け会員情報の記憶が有るか否かに基づいて判定する。
【０２１４】
受付け会員情報の記憶が有る場合、つまりハウス会員カードを受付け中である場合には、Ｓｔ１９に進んで、情報テーブルの表示ＣＭ−ＩＤの項目に記憶されているＣＭ−ＩＤ、つまり、表示中の告知映像（ＣＭ）のＣＭ−ＩＤを、会員ＣＭ表示順序データから削除することで、後述するように詳細メールにて詳細情報が提供される当該告知映像（ＣＭ）が、その後においても繰返し表示部３１２に不必要に表示されてしまうことがなく、詳細情報が要求されていない他の告知映像（ＣＭ）の表示頻度を向上できるようにする。
【０２１５】
そして、Ｓｔ９のステップに進み、表示部３１２に「処理中」を示すメッセージ表示を開始した後、表示中の告知映像（ＣＭ）のＣＭ−ＩＤを、情報テーブルの表示ＣＭ−ＩＤの項目に記憶されているＣＭ−ＩＤから特定し、該特定したＣＭ−ＩＤと受付け中の会員カードの会員カードＩＤ、具体的には情報テーブルの受付カードＩＤの項目に格納されている会員カードＩＤとを含む会員詳細メール要求を、システムコントローラ１１０に対して送信し（Ｓｔ１０）、Ｓｔ９のステップにて開始した「処理中」表示を終了し（Ｓｔ１５）、更に表示更新タイマをタイマアップさせることで（Ｓｔ１６）、Ｓｗ９の告知映像更新処理を起動させて、該詳細情報が要求された告知映像（ＣＭ）のＣＭ−ＩＤに次いで会員ＣＭ表示順序データに記憶されているＣＭ−ＩＤの告知映像（ＣＭ）を表示部３１２に表示させるようにして、該詳細情報提供処理を終了する。
【０２１６】
このように制御ユニット３２８が制御動作を行うことで表示部３１２には、ハウス会員カードを受付け中において、図２６（ａ）に示すように、例えば、ＣＭ−ＩＤがＣＭ−０００２であるタバコＡの告知映像（ＣＭ）が表示部３１２に表示されている状態において、該告知映像（ＣＭ）の表示画面の下方位置に表示されている「詳細情報」の選択入力部を会員遊技者が選択操作することで、図２６（ｂ）に示すように、表示部３１２には、「只今、処理中…」のメッセージが表示されて、詳細情報、つまり、限定ストラップをもらうための必要事項等を含む詳細メールが会員登録時に記入した自己の電子メールアドレスに送信される旨が報知される。
【０２１７】
そして、前述のようにＳｔ１６におけるタイマアップに基づきＳｗ９の告知映像更新処理が起動されて実施されることにより、会員ＣＭ表示順序データにおいて、ＣＭ−ＩＤがＣＭ−０００２に次ぐ順序である順序３に対応するＣＭ−ＩＤがＣＭ−０００１の○×ドリンクの告知映像（ＣＭ）が表示部３１２に表示される。
【０２１８】
また、受付け会員情報の記憶が無い場合、つまりハウス会員カードを受付け中でない場合には、Ｓｔ４に進んで、図２７（ｂ）に示すように、会員カードのカード挿入口３０９への挿入、電子マネー通信部３３２へのＩＣタグ１８の近接、お財布機能を有する携帯電話機５の近接を促す案内メッセージを、表示部３１２に告知映像（ＣＭ）の表示画面に上重して表示する。
【０２１９】
そして、Ｓｔ５〜Ｓｔ７の各ステップを巡回実施することで、会員カードの挿入、ＩＣタグ１８の近接によるタグＩＤの受信、携帯電話機５の近接による非接触ＩＣのチップＩＤの受信を検知する待機状態となる。尚、タグＩＤとチップＩＤとは、異なる特有の配列形態のＩＤとされており、これらをその配列形態から識別できるようになっている。
【０２２０】
このＳｔ５〜Ｓｔ７の待機状態において、遊技者が、会員カード（当該遊技場のハウス会員カードであっても他の遊技場で発行された会員カードでも良い）をカード挿入口３０９に挿入した場合には、該会員カードの挿入がＳｔ５にて検知されてＳｔ８に進み、該挿入された会員カードに記憶されている会員カードＩＤを内部カードリーダライタ３２７にて読み出す。
【０２２１】
そして、Ｓｔ９のステップに進み、表示部３１２に「処理中」を示すメッセージ表示を開始した後、表示中の告知映像（ＣＭ）のＣＭ−ＩＤを、情報テーブルの表示ＣＭ−ＩＤの項目に記憶されているＣＭ−ＩＤから特定し、該特定したＣＭ−ＩＤとＳｔ８にて会員カードから読み出した会員カードＩＤとを含む会員詳細メール要求を、システムコントローラ１１０に対して送信し（Ｓｔ１０）、Ｓｔ９のステップにて開始した「処理中」表示を終了し（Ｓｔ１５）、更に表示更新タイマをタイマアップさせることで（Ｓｔ１６）、Ｓｗ９の告知映像更新処理を起動させて、該詳細情報が要求された告知映像（ＣＭ）のＣＭ−ＩＤに次いでビジターＣＭ表示順序データに記憶されているＣＭ−ＩＤの告知映像（ＣＭ）を表示部３１２に表示させるようにして、該詳細情報提供処理を終了する。
【０２２２】
このように制御ユニット３２８が制御動作を行うことで表示部３１２には、ハウス会員カードを受付け中でない状態、つまり、プリペイドカード或いは他の遊技場の会員カードを受付け中であるか、あるいは、受付け中のカードがなくて遊技用残額が存在するか、あるいは遊技用残額が存在しないがアウト玉計数信号が非入力となって所定時間が未経過である稼働状態において、図２７（ａ）に示すように、例えば、ＣＭ−ＩＤがＣＭ−０００４である通信会社Ｂの告知映像（ＣＭ）が表示部３１２に表示されている状態において、該告知映像（ＣＭ）の表示画面の下方位置に表示されている「詳細情報」の選択入力部が選択操作されることで、図２７（ｂ）に示すように、表示部３１２には、前述のＳｔ４のステップに伴う案内メッセージが表示部３１２に表示され、該案内メッセージが表示されている状態において会員カードを挿入することで、図２６（ｂ）に示すメッセージと同一のメッセージが表示されて、詳細情報、つまり、無料キャンペーンの期間や条件等を含む詳細メールが、会員登録時に記入した自己の電子メールアドレスに送信される旨が報知される。
【０２２３】
そして、前述のようにＳｔ１６におけるタイマアップに基づきＳｗ９の告知映像更新処理が起動されて実施されることにより、ビジターＣＭ表示順序データにおいて、ＣＭ−ＩＤがＣＭ−０００４に次ぐ順序である順序４に対応するＣＭ−ＩＤがＣＭ−０００５の新型ゲーム機の告知映像（ＣＭ）が表示部３１２に表示される。
【０２２４】
また、Ｓｔ５〜Ｓｔ７の待機状態において、電子マネー通信部３３２へのＩＣタグ１８の近接によるタグＩＤの受信があった場合には、該タグＩＤの受信がＳｔ６にて検知されてＳｔ１１に進み、図２７（ｃ）に示すように、表示部３１２に「処理中」を示すメッセージ表示を開始した後、表示中の告知映像（ＣＭ）のＣＭ−ＩＤを、情報テーブルの表示ＣＭ−ＩＤの項目に記憶されているＣＭ−ＩＤから特定し、該特定したＣＭ−ＩＤと、受信したタグＩＤとを含むタグ詳細メール要求を、システムコントローラ１１０に対して送信した後（Ｓｔ１２）、Ｓｔ１１のステップにて開始した「処理中」表示を終了し（Ｓｔ１５）、更に表示更新タイマをタイマアップさせることで（Ｓｔ１６）、Ｓｗ９の告知映像更新処理を起動させて、該詳細情報が要求された告知映像（ＣＭ）のＣＭ−ＩＤに次いでビジターＣＭ表示順序データに記憶されているＣＭ−ＩＤの告知映像（ＣＭ）を表示部３１２に表示させるようにして、該詳細情報提供処理を終了する。
【０２２５】
このように制御ユニット３２８が制御動作を行うことで表示部３１２には、ハウス会員カードを受付け中でない状態、つまり、プリペイドカード或いは他の遊技場の会員カードを受付け中であるか、あるいは、受付け中のカードがなくて遊技用残額が存在するか、あるいは遊技用残額が存在しないがアウト玉計数信号が非入力となって所定時間が未経過である稼働状態において、図２７（ａ）に示すように、例えば、ＣＭ−ＩＤがＣＭ−０００４である通信会社Ｂの告知映像（ＣＭ）が表示部３１２に表示されている状態において、該告知映像（ＣＭ）の表示画面の下方位置に表示されている「詳細情報」の選択入力部が選択操作されることで、図２７（ｂ）に示すように、表示部３１２には、前述のＳｔ４のステップに伴う案内メッセージが表示部３１２に表示され、該案内メッセージが表示されている状態においてＩＣタグ１８を電子マネー通信部３３２に近接させることで、図２７（ｃ）に示すように、「只今、処理中…」のメッセージが表示されて、詳細情報、つまり、無料キャンペーンの期間や条件等を含む詳細メールが、ＩＣタグ１８の利用登録時に登録した自己の電子メールアドレスに送信される旨が報知される。
【０２２６】
そして、前述のようにＳｔ１６におけるタイマアップに基づきＳｗ９の告知映像更新処理が起動されて実施されることにより、ビジターＣＭ表示順序データにおいて、ＣＭ−ＩＤがＣＭ−０００４に次ぐ順序である順序４に対応するＣＭ−ＩＤがＣＭ−０００５の新型ゲーム機の告知映像（ＣＭ）が表示部３１２に表示される。
【０２２７】
つまり、本実施例のカードユニット３が実施する詳細情報提供処理においては、会員カード（会員用記録媒体）を内部カードリーダライタ３２７（会員記録媒体読み出し手段）に受付けているときに、詳細情報を要求するための所定操作となる「詳細情報」の選択入力を会員遊技者から受付けたことに基づいて、当該操作時点において表示部３１２（表示手段）に表示している告知映像（告知情報）のＣＭ−ＩＤ（告知情報特定情報）と該受付けている会員カードの会員識別情報である会員カードＩＤとを含む詳細情報配信要求（となる会員詳細メール要求を管理サーバ１４に送信し、会員カード（会員用記録媒体）を内部カードリーダライタ３２７（会員記録媒体読み出し手段）に受付けていないときに、詳細情報を要求するための所定操作となる「詳細情報」の選択入力を登録利用者から受付けたこと、並びに外部カードリーダライタ３３０（記録媒体読取手段）にてＩＣタグ１８（記録媒体）を受付けたことに基づいて、該操作時点において表示している告知映像（告知情報）のＣＭ−ＩＤ（告知情報特定情報）と該受付けたＩＣタグ１８（記録媒体）から読み取ったタグＩＤ（記録媒体識別情報）とを含むタグ詳細メール要求（詳細情報配信要求）を管理サーバ１４に送信している。
【０２２８】
また、Ｓｔ５〜Ｓｔ７の待機状態において、電子マネー通信部３３２への携帯電話機５の近接によるチップＩＤの受信があった場合には、該チップＩＤの受信がＳｔ７にて検知されてＳｔ１３に進み、図２７（ｄ）に示すように、表示部３１２に「処理中」を示すメッセージ表示を開始した後、表示中の告知映像（ＣＭ）のＣＭ−ＩＤを、情報テーブルの表示ＣＭ−ＩＤの項目に記憶されているＣＭ−ＩＤから特定するとともに、該ＣＭ−ＩＤに対応してＣＭデータテーブルに記憶されているＵＲＬを特定し、該特定したＵＲＬを外部カードリーダライタ３３０を通じて携帯電話機５（非接触ＩＣチップ）に返信した後（Ｓｔ１４）、Ｓｔ１３のステップにて開始した「処理中」表示を終了し（Ｓｔ１５）、更に表示更新タイマをタイマアップさせることで（Ｓｔ１６）、Ｓｗ９の告知映像更新処理を起動させて、該詳細情報が要求された告知映像（ＣＭ）のＣＭ−ＩＤに次いでビジターＣＭ表示順序データに記憶されているＣＭ−ＩＤの告知映像（ＣＭ）を表示部３１２に表示させるようにして、該詳細情報提供処理を終了する。
【０２２９】
つまり、本実施例のカードユニット３は、本発明における携帯端末通信手段となる外部カードリーダライタ３３０に携帯電話機５を受付けたことに基づいて、当該受付時点において表示部３１２に表示している告知映像（告知情報）の詳細情報が公開されているホームページへのアクセスを可能とするＵＲＬ（アクセス情報）を、該受付けた携帯電話機５に外部カードリーダライタ３３０を通じて送信している。
【０２３０】
尚、これらＵＲＬの返信を受けて携帯電話機５では、搭載されている閲覧アプリケーションにより、該受信したＵＲＬのホームページにアクセスして、該ホームページを表示することにより、該携帯電話機５の所有者は、詳細メールの受信を待つことなく、ホームページに掲載されている詳細情報を素早く入手することができる。
【０２３１】
このように制御ユニット３２８が制御動作を行うことで表示部３１２には、ハウス会員カードを受付け中でない状態、つまり、プリペイドカード或いは他の遊技場の会員カードを受付け中であるか、あるいは、受付け中のカードがなくて遊技用残額が存在するか、あるいは遊技用残額が存在しないがアウト玉計数信号が非入力となって所定時間が未経過である稼働状態において、図２７（ａ）に示すように、例えば、ＣＭ−ＩＤがＣＭ−０００４である通信会社Ｂの告知映像（ＣＭ）が表示部３１２に表示されている状態において、該告知映像（ＣＭ）の表示画面の下方位置に表示されている「詳細情報」の選択入力部が選択操作されることで、図２７（ｂ）に示すように、表示部３１２には、前述のＳｔ４のステップに伴う案内メッセージが表示部３１２に表示され、該案内メッセージが表示されている状態において携帯電話機５を電子マネー通信部３３２に近接させることで、図２７（ｄ）に示すように、「只今、処理中…」のメッセージが表示されて、詳細情報、つまり、無料キャンペーンの期間や条件等が掲載されたホームページのＵＲＬが携帯電話機５に転送される旨が報知される一方、携帯電話機５の表示部には、転送されたＵＲＬの詳細情報を含むホームページが表示されるようになる。
【０２３２】
そして、前述のようにＳｔ１６におけるタイマアップに基づきＳｗ９の告知映像更新処理が起動されて実施されることにより、ビジターＣＭ表示順序データにおいて、ＣＭ−ＩＤがＣＭ−０００４に次ぐ順序である順序４に対応するＣＭ−ＩＤがＣＭ−０００５の新型ゲーム機の告知映像（ＣＭ）が表示部３１２に表示される。
【０２３３】
このようにして、詳細情報提供処理にてシステムコントローラ１１０に送信された会員詳細メール要求並びにタグ詳細メール要求は、該システムコントローラ１１０にて管理サーバ１４に中継されることにより、管理サーバ１４において、図２９の詳細メール送信処理が実施される。
【０２３４】
この本実施例の詳細メール送信処理においては、図２９に示すように、まず、受信した詳細メール要求に含まれるＣＭ−ＩＤに対応する詳細テキストデータを特定する（Ｓｍ１）。具体的に本実施例であれば、詳細テキストデータのファイル名に該詳細テキストデータが対応する告知映像（ＣＭ）のＣＭ−ＩＤが付与されているので、受信した詳細メール要求に含まれるＣＭ−ＩＤのファイル名が付与されている詳細テキストデータを特定する。
【０２３５】
そして、Ｓｍ２のステップに進んで、受信した詳細メール要求が、会員詳細メール要求であるか否かを判定し、会員詳細メール要求である場合にはＳｍ３のステップに進んで、遊技場別会員情報データベースにおいて、受信した会員詳細メール要求に含まれる会員カードＩＤに対応して記憶されている電子メールアドレスを特定した後、Ｓｍ４のステップに進んで、該特定した電子メールアドレスに対し、Ｓｍ１のステップにて特定した詳細テキストデータを含む詳細メールを生成して送信して、該詳細メール送信処理を終了する。
【０２３６】
一方、受信した詳細メール要求が、タグ詳細メール要求である場合には、Ｓｍ２からＳｍ５のステップに進んで、遊技場別会員情報データベースまたはタグ情報テーブルにおいて、受信したタグ詳細メール要求に含まれるタグＩＤに対応して記憶されている電子メールアドレスを特定した後、Ｓｍ４のステップに進んで、該特定した電子メールアドレスに対し、Ｓｍ１のステップにて特定した詳細テキストデータを含む詳細メールを生成して送信して、該詳細メール送信処理を終了する。
【０２３７】
つまり、本実施例の管理サーバ１４が実施する詳細メール送信処理においては、告知映像（告知情報）に関する詳細情報を含む詳細メールを、来店者の電子メールアドレスに送信しており、広告管理サーバ１６とともに該管理サーバ１４によって、本発明にける詳細情報送信サービスが提供されている。
【０２３８】
更に、本実施例の管理サーバ１４が実施する詳細メール送信処理においては、詳細情報配信要求となる会員詳細メール要求或いはタグ詳細メール要求を受信したことを条件として、該受信した会員詳細メール要求或いはタグ詳細メール要求に含まれるＣＭ−ＩＤ（告知情報特定情報）に対応付けて、ＣＭ情報テーブルに記憶されている詳細テキストデータのファイル名から特定される詳細情報を含む電子メール（詳細メール）を、該受信した会員詳細メール要求或いはタグ詳細メール要求に含まれる会員カードＩＤ（会員識別情報）若しくはタグＩＤ（記録媒体識別情報）に対応付けて管理されている電子メールアドレスに対して送信している。
【０２３９】
次に、前述の割込監視処理のＳｗ１〜Ｓｗ６の監視状態において、アウト玉計数器２６からアウト玉計数信号が入力された場合には、該アウト玉計数信号の入力がＳｗ５にて検知されてＳｗ１１に進み、図２４に示す非稼働判定タイマリセット処理を起動させた後、Ｓｗ１〜Ｓｗ６の監視状態に戻る。
【０２４０】
このＳｗ１１おいて起動された本実施例の非稼働判定タイマリセット処理においては、図２４に示すように、まず、非稼働判定タイマをリセットした後（Ｓｐ１）、情報テーブルの稼働情報の項目に格納されているデータに基づいて、対応するパチンコ機２の稼働・非稼働を判定する（Ｓｐ２）。
【０２４１】
稼働情報に「稼働中」が格納されている場合、つまり、対応するパチンコ機２が稼働中である場合には、該非稼働判定タイマリセット処理を終了する一方、稼働情報に「非稼働中」が格納されている場合、つまり、対応するパチンコ機２が非稼働中である場合には、対応するパチンコ機２において新たに遊技が開始されたものと判断して、情報テーブルの稼働情報の項目に「稼働中」を格納するとともに（Ｓｐ３）、情報テーブルの表示ＣＭ−ＩＤに格納されているＣＭ−ＩＤを消去して情報テーブルを更新して（Ｓｐ４）、該非稼働判定タイマリセット処理を終了することにより、非稼働状態において表示部３１２に表示されていた告知映像（ＣＭ）のＣＭ−ＩＤに影響されることなく、ビジターＣＭ表示順序データの先頭順序に記憶されているＣＭ−ＩＤの告知映像（ＣＭ）から、順次、表示部３１２に表示されるようになる。
【０２４２】
また、割込監視処理のＳｗ１〜Ｓｗ６の監視状態において、非稼働判定タイマがタイマアップした場合には、該タイマアップがＳｗ６にて検知されてＳｗ１２に進み、図２５に示す稼働情報更新処理を起動させた後、Ｓｗ１〜Ｓｗ６の監視状態に戻る。
【０２４３】
このＳｗ１２おいて起動された本実施例の稼働情報更新処理においては、図２５に示すように、まず、会員カードあるいはプリペイドカードのいずれかのカードを受付け中であるか否かを判定するとともに（Ｓｑ１）、カードを受付け中で無ければＳｑ２のステップに進んで、さらに遊技用残額が情報テーブルに存在するか否かを判定する。
【０２４４】
そして、遊技用残額が情報テーブルに存在しない場合、つまり、いずれのカードの受付けがなく、かつ遊技用残額も無い状態において、アウト玉計数信号の入力が無くなってから非稼働判定タイマに設定されている所定時間が経過して非稼働判定タイマがタイマアップしたと判断される場合には、対応するパチンコ機２の稼働状態を非稼働となったと判定して、情報テーブルの稼働情報の項目に「非稼働」を格納するとともに（Ｓｑ３）、情報テーブルの表示ＣＭ−ＩＤに格納されているＣＭ−ＩＤを消去して情報テーブルを更新して（Ｓｑ４）、該稼働情報更新処理を終了することにより、稼働状態において表示部３１２に表示されていた告知映像（ＣＭ）のＣＭ−ＩＤに影響されることなく、非稼働ＣＭ表示順序データの先頭順序に記憶されているＣＭ−ＩＤの告知映像（ＣＭ）から、順次、表示部３１２に表示されるようになる。
【０２４５】
つまり、本実施例の制御ユニット３２８が実施例する稼働情報更新処理においては、対応するパチンコ機２（遊技機）の稼働・非稼働を判定しており、該稼働情報更新処理を実施する制御ユニット３２８により、本発明における稼働状況判定手段が形成されている。
【０２４６】
以上のように、本実施例によれば、店舗において既に会員登録した会員は、改めて他の遊技場（店舗）で会員登録を行ったり、詳細情報送信サービスへ利用登録を行うことなく、自身の会員カードを使用して、会員登録した遊技場（店舗）以外の他の遊技場（店舗）においても詳細情報を取得できるので、会員の利便性を向上できるとともに、個人情報（属性情報）を提供して会員登録までは行いたくないが詳細情報を入手したい人（ビジター）も、詳細情報送信サービスの利用登録をすることで付与されるＩＣタグを使用して、各遊技場（店舗）にて詳細情報を取得できるので、会員以外のビジターの利便性も向上できる。
【０２４７】
また、前記実施例によれば、タグ情報テーブル更新処理並びに会員情報データベース更新処理を管理サーバ１４が実施することで、重複して同一の電子メールアドレスが管理（記憶）されることがないので、不必要に記憶容量が大きくなることを防止できる。
【０２４８】
また、前記実施例によれば、管理サーバ１４において、遊技機の稼働中に見合った告知情報（ＣＭ）を、告知条件として「稼働中」が設定されている稼働告知情報とし、遊技機の非稼働中に見合った告知情報を告知条件として「非稼働中」が設定されている非稼働告知情報とすることで、遊技機の稼働中・非稼働中、すなわち、遊技者（来店者）の遊技中・非遊技中の遊技状況に応じた適切な告知映像（告知情報）を表示して告知することができる。
【０２４９】
また、前記実施例によれば、詳細情報の内容によっては、該詳細情報を電子メールにて提供する必要がなく、且つ、その場において来店者に提供することが好ましいものもあるので、これらの詳細情報をカードユニット３の表示部３１２（表示手段）に表示する詳細情報、すなわち、詳細情報提供形態として「ユニット表示」を設定することで、不必要な電子メールの送信を低減できるとともに、迅速性を要する詳細情報を迅速に来店者に提供できる。
【０２５０】
また、前記実施例によれば、会員情報が合致する告知条件、例えば、会員が男性であれば、男性に見合った「タバコＡ」の広告映像（告知情報）が表示されるので、男性に女性用の商品等に関する告知したり、逆に、女性に男性用の商品等に関する告知をするように、会員に不適切な告知をすることを極力回避でき、効率のよい告知を実施することができる。
【０２５１】
また、前記実施例によれば、インターネット接続機能を有する携帯端末である携帯電話機５を所持する来店者は、詳細情報を含む電子メール（詳細メール）に代えて、該携帯電話機５にカードユニット３（情報表示装置）からＵＲＬ（アクセス情報）が送信されるので、当該ＵＲＬ（アクセス情報）から詳細情報を公開しているホームページへアクセスでき、詳細情報を含む電子メール（詳細メール）の受信を待つことなく、素早く詳細情報を入手することができる。
【０２５２】
以上、本発明の実施例を図面により説明してきたが、具体的な構成はこれら実施例に限られるものではなく、本発明の要旨を逸脱しない範囲における変更や追加があっても本発明に含まれる。
【０２５３】
例えば、前記実施例では、表示手段となる表示部３１２が、カードユニット３に取り付けられている例を示したが、本発明はこれに限定されるものではなく、これら表示手段を、例えば、遊技島の前面上部に設けられている幕板に、パチンコ機２に対応して設けるようにしても良い。
【０２５４】
また、前記実施例では、表示手段となる表示部３１２と、会員記録媒体読み出し手段となる内部カードリーダライタ３２７と、記録媒体読取手段となる外部カードリーダライタ３３０の全てを備えるカードユニット３を情報提供装置として用いているが、本発明はこれに限定されるものではなく、これら表示手段を成す表示装置と、会員記録媒体読み出し手段となるカードリーダライタユニットと、記録媒体読取手段となるタグリーダライタユニットとを、別個に設けて情報提供装置を構成してもよい。
【０２５５】
また、前記実施例では、告知情報をＣＭポスターの画像である告知映像としているが、本発明はこれに限定されるものではなく、これら告知情報は映像でなくても良いし、更には、ＣＭ以外、例えば、住所や電話番号や電子メールアドレス等の会員情報の変更があった場合の登録情報の変更するための変更方法に関する詳細情報を案内する告知情報であっても良いし、非常時の避難についての詳細情報を提供するための告知情報であっても良い。
【０２５６】
また、前記実施例では、会員を個々に識別可能な会員識別情報として、会員カードに予め固有に付与されて記憶された会員カードＩＤを使用しているが、本発明はこれに限定されるものではなく、会員カード表面に表記されて会員や第三者に認識される可能性のある会員ＩＤとして会員カードＩＤを用いることによる管理上の危険性を低減するため等を目的として、これら会員カードＩＤに代えて、各遊技場において各会員に固有の会員ＩＤを付与し、該会員ＩＤを会員カードＩＤと併せて会員カードに記憶させるようにしても良い。
【０２５７】
また、前記実施例では、ＩＣタグ１８と携帯電話機５（非接触ＩＣチップ）とを、共通の外部カードリーダライタ３３０にて受付けているが、本発明はこれに限定されるものではなく、これらＩＣタグ１８を受付けてタグＩＤの読み取りを行うユニットと、携帯電話機５（非接触ＩＣチップ）を受付けて、該携帯電話機５（非接触ＩＣチップ）との近距離非接触データ通信を実施するユニットとを、個別に設けるようにしても良い。
【０２５８】
また、前記実施例では、アクセス情報となるＵＲＬを、外部カードリーダライタ３３０を介して携帯電話機５（非接触ＩＣチップ）に送信しているが、本発明はこれに限定されるものではなく、これらアクセス情報となるＵＲＬを、携帯電話機が赤外線通信部を有していれば、これら赤外線通信部を通じて送信しても良いし、更には、携帯電話機が外部との有線通信部を有していれば、該有線通信部を通じて送信しても良い。
【０２５９】
また、前記実施例では、情報提供装置を、遊技場に設置されたパチンコ機２に１対１に対応して設けられているカードユニット３としているが、本発明はこれに限定されるものではなく、これら情報提供装置を、遊技場内の所定位置に設けられて、該遊技場内に設置されている遊技機の遊技情報等を来店者に提供するための情報提供端末としても良い。
【０２６０】
また、前記実施例では、告知映像データ（ファイル）や詳細テキストデータ（ファイル）を、起動処理においてシステムコントローラ１１０からＣＭデータとして各カードユニット３に配信して、カードユニット３のＲＡＭ３２８ｂに予め記憶しておくようにしており、このようにすることは、営業中においてシステムコントローラ１１０との通信状態がオフラインとなった場合でも、告知映像の表示や、詳細情報の表示を継続して実施できることから好ましいが、本発明はこれに限定されるものではなく、これら告知映像データ（ファイル）や詳細テキストデータ（ファイル）を、カードユニット３において表示する毎に、システムコントローラ１１０や管理サーバ１４から取得して、表示部３１２に表示するようにしても良い。
【０２６１】
また、前記実施例では、ハウス会員カードの受付け時において、カードユニット３がシステムコントローラ１１０から会員情報を取得して、当該会員に対して告知する告知映像（告知情報）を、所得した会員情報と、ＣＭデータテーブルの告知条件とに基づいて特定し、特定した告知映像（告知情報）を当該会員に告知するために会員ＣＭ表示順序データに記憶するようにしているが、本発明はこれに限定されるものではなく、これら、カードユニット３にて受付け中の会員に合致する告知映像（告知情報）を、システムコントローラ１１０や管理サーバ１４において特定して会員ＣＭ表示順序データを生成し、該会員ＣＭ表示順序データをカードユニット３に送信するようにしても良い。
【０２６２】
更には、カードユニット３にて受付け中の会員に合致する告知映像（告知情報）を、システムコントローラ１１０や管理サーバ１４において特定して会員ＣＭ表示順序データを生成しておき、該生成した会員ＣＭ表示順序データに基づく表示順に、順次告知映像データ（ファイル）をカードユニット３に送信して、カードユニット３の表示部に表示させるようにしても良く、この場合においては、告知条件記憶手段となるＣＭデータテーブルをカードユニット３のＲＡＭ３２８ｂに記憶させておく必要はないので、この場合においては、システムコントローラ１１０や管理サーバ１４が本発明における告知条件記憶手段を構成することになる。
【０２６３】
また、前記実施例では、内部カードリーダライタ３２７にハウス会員カードを受付けていない状況において、詳細情報を遊技者（来店者）が入手するためには、告知映像が表示されている表示部３１２の「詳細情報」の選択操作を実施した後、会員カードやＩＣタグ１８や携帯電話機５の受付けを実施することにより、会員詳細メール要求やタグ詳細メール要求の送信や、ＵＲＬの送信が実施されるようになっているが、本発明はこれに限定されるものではなく、これら表示部３１２の「詳細情報」の選択操作の受付けを省略して、告知映像が表示部３１２に表示されている状態にて会員カードやＩＣタグ１８や携帯電話機５を受付けることにより、会員詳細メール要求やタグ詳細メール要求の送信や、ＵＲＬの送信を実施するようにしても良く、この場合にあっては、本発明における詳細情報を要求するための所定操作としては、会員カードやＩＣタグ１８や携帯電話機５を受付けるための会員カードの挿入や、ＩＣタグ１８の近接や、携帯電話機５の近接が該当することとなる。
【０２６４】
また、前記実施例では、告知条件となる「女性会員」や「男性会員」等の設定を、広告管理サーバ１６側において実施するようにしているが、本発明はこれに限定されるものではなく、これらの設定や変更も、管理サーバ１４のＣＭ情報設定画面にて実施するようにしても良い。
【０２６５】
また、前記実施例においては、店舗を遊技場としているが、本発明はこれに限定されるものではなく、例えば、店舗をゲームセンタとしたり、或いは、店舗をカジノや競馬場やビデオやＤＶＤのレンタル店としても良い。
【０２６６】
また、前記実施例においては、システムコントローラ１１０において、会員カードやプリペイドカードの管理と会員情報の管理とを実施しているが、本発明はこれに限定されるものではなく、これら会員カードやプリペイドカードの管理を専ら実施するコンピュータと、会員情報の管理を専ら実施するコンピュータとを個別に設けるようにしても良い。
【０２６７】
また、前記実施例においては、管理サーバ１４へのアクセス頻度を低減するために、各遊技場にシステムコントローラ１１０を設置しているが、本発明はこれに限定されるものではなく、これらシステムコントローラ１１０を有しない構成としても良く、この場合には、システムコントローラ１１０の機能は全て管理サーバ１４が有することになる。
【０２６８】
また、前記実施例では、管理サーバ１４自身が詳細メールを送信するようにしているが、本発明はこれに限定されるものではなく、これら管理サーバ１４以外に詳細メールを送信するためのメールサーバを個別に設けて、これらメールサーバから詳細メール送信させる処理、例えば、詳細テキストデータのファイル名と、特定した詳細メールの送信先アドレスとを含む送信指示をメールサーバに出力して詳細メール送信させるようにしても良い。
【０２６９】
また、前記実施例では、告知映像データ（ファイル）や詳細テキストデータ（ファイル）をシステムコントローラ１１０から、接続確認要求の受信に応じて各カードユニット３に送信するようにしているが、本発明はこれに限定されるものではなく、これら告知映像データ（ファイル）や詳細テキストデータ（ファイル）を、記録媒体であるメモリカード等に記憶しておき、該メモリカードを各カードユニット３に装着して各カードユニット３に記憶させるようにしても良い。
【０２７０】
また、前記実施例では、記録媒体としてＩＣタグ１８を使用しているが、本発明はこれに限定されるものではなく、ＩＤを読み取り可能に記憶できるものであれば足り、これらＩＣタグ１８以外に、例えば、磁気カードであっても良い。
【０２７１】
また、前記実施例では、詳細情報特定情報として詳細テキストデータのファイル名を用いているが、本発明はこれに限定されるものではなく、これら詳細情報特定情報としては、例えば、広告管理サーバ１６に記憶されている詳細テキストデータへアクセスするためのアクセスデータであっても良い。
【０２７２】
また、前記実施例では、管理サーバ１４において、詳細情報提供形態の分類設定を実施するようにしているが、本発明はこれに限定されるものではなく、これら分類設定を各遊技場（店舗）に設けられているシステムコントローラ１１０にて実施するようにしても良い。
【０２７３】
また、前記実施例では、各カードユニットが対応するパチンコ機２（遊技機）の稼働状況の判定を、各カードユニット３にて実施しているが、本発明はこれに限定されるものではなく、これらの稼働判定を、カードユニット３からアウト玉計数信号の入力を示す情報等をシステムコントローラ１１０や管理サーバ１４に送信して、該システムコントローラ１１０や管理サーバ１４において実施するようにしても良い。
【０２７４】
また、前記実施例では、管理サーバ１４と広告管理サーバ１６とを個別に設けているが、本発明はこれに限定されるものではなく、これら管理サーバ１４と広告管理サーバ１６とを１つのサーバコンピュータにて形成しても良い。
【０２７５】
また、前記実施例では、カードユニット３において「詳細情報」の選択操作が実施されると、該操作時点の告知映像（告知情報）の詳細情報の提供形態が「電子メール」であるか「ユニット表示」であるかを該カードユニット３側において特定するようにしているが、本発明はこれに限定されるものではなく、これら操作時点の告知映像（告知情報）のＣＭ−ＩＤをシステムコントローラ１１０に送信し、システムコントローラ１１０側において、該ＣＭ−ＩＤの告知映像（告知情報）の詳細情報の提供形態を特定し、提供形態が「電子メール」である場合には、管理サーバ１４に対して会員詳細メール要求或いはタグ詳細メール要求を送信する一方、提供形態が「ユニット表示」である場合には、該カードユニット３に詳細テキストデータを送信するようにすることで、カードユニット３に予め詳細テキストデータを記憶しておく必要がないように構成しても良い。
【０２７６】
前記実施例における各要素は、本発明に対して以下のように対応している。
本発明の請求項１は、
各遊技場に設置された遊技機に対応して設けられ、当該遊技場において来店者に対し複数の告知情報（告知映像）を表示する表示手段（表示部３１２）を有する情報表示装置（カードユニット３）と、当該告知情報に関する詳細情報を前記来店者の電子メールアドレスに送信する詳細情報送信サービスを提供する管理サーバ１４と、を備える情報提供システムにおいて、
前記情報表示装置は、
各遊技場における会員を個々に識別可能な会員識別情報（会員カードＩＤ）が記録され、当該会員が会員登録を行った遊技場にて発行される会員用記録媒体（会員カード）を受付けて、該会員用記録媒体に記録されている前記会員識別情報を含む記録情報を少なくとも読み出す会員記録媒体読み出し手段（内部カードリーダライタ３２７）と、
前記管理サーバ１４への前記詳細情報送信サービスの利用登録を行った登録利用者に付与される記録媒体（ＩＣタグ１８）を受付けて、該受付けた記録媒体に記憶されている当該記録媒体を個々に識別可能な記録媒体識別情報（タグＩＤ）を読み取る記録媒体読取手段（外部カードリーダライタ３３０）と、
を有し、
前記管理サーバ１４は、
各遊技場に設置された前記情報表示装置にデータ通信可能に接続され、
各遊技場の前記会員識別情報に対応付けて当該会員の電子メールアドレスを少なくとも含む会員情報を管理し、前記記録媒体識別情報に対応付けて該記録媒体識別情報が記憶された記録媒体が付与された登録利用者の電子メールアドレスを管理するとともに、前記告知情報を特定可能な告知情報特定情報（ＣＭ−ＩＤ）に対応付けて当該告知情報に関する詳細情報を特定可能な詳細情報特定情報（詳細テキストデータのファイル名）を記憶し、
前記情報表示装置は、前記会員用記録媒体を前記会員記録媒体読み出し手段に受付けているときに、詳細情報を要求するための所定操作（「詳細情報」の選択入力）を会員から受付けたことに基づいて、当該操作時点において前記表示手段に表示している告知情報の告知情報特定情報と該受付けている会員用記録媒体の会員識別情報とを含む詳細情報配信要求（会員詳細メール要求）を前記管理サーバ１４に送信し、前記会員用記録媒体を前記会員記録媒体読み出し手段に受付けていないときに、前記記録媒体読取手段にて記録媒体を受付けたことに基づいて、該操作時点において前記表示手段に表示している告知情報の告知情報特定情報と該受付けた記録媒体から読み取った記録媒体識別情報とを含む詳細情報配信要求（タグ詳細メール要求）を前記管理サーバ１４に送信し、
前記管理サーバ１４は、前記詳細情報配信要求を受信したことを条件として、該受信した詳細情報配信要求に含まれる告知情報特定情報に対応付けて記憶されている詳細情報特定情報から特定される詳細情報を含む電子メール（詳細メール）を、該受信した詳細情報配信要求に含まれる会員識別情報若しくは記録媒体識別情報に対応付けて管理されている電子メールアドレスに対して送信するための処理を行い、
前記情報表示装置は、
前記表示手段に表示する前記告知情報の種類および／または表示順序が、会員に適応するように設定された会員用決定テーブル並びに非会員に適応するように設定された非会員用決定テーブルを記憶するテーブル記憶手段と、
前記表示手段に表示する前記告知情報の種類および／または表示順序を、前記会員記録媒体読み出し手段に前記会員用記録媒体を受付けているときにおいては前記会員用決定テーブルを用いて決定し、前記会員記録媒体読み出し手段に前記会員用記録媒体を受付けていないときにおいては前記非会員用決定テーブルを用いて決定する決定手段と、
を有し、該決定手段にて決定した告知情報を前記表示手段に表示し、
前記遊技機の稼働・非稼働を判定する稼働状況判定手段と、
前記告知情報を稼働状態において来店者に告知する稼働告知情報と、非稼働状態において来店者に告知する非稼働告知情報とに分類設定する分類設定手段と、
を備え、
前記情報表示装置は、
前記稼働状況判定手段による判定結果が稼働状態であるときには、前記分類設定手段にて設定された前記稼働告知情報を前記表示手段に表示する一方、前記稼働状況判定手段による判定結果が非稼働状態であるときには、前記分類設定手段にて設定された前記非稼働告知情報を前記表示手段に表示する。
【０２７７】
本発明の請求項２は、
各遊技場に設置された遊技機に対応して設けられ、来店者に対し複数の告知情報を表示する表示手段を有する情報表示装置と、当該告知情報に関する詳細情報を前記来店者の電子メールアドレスに送信する詳細情報送信サービスを提供する管理サーバと、を備える情報提供システムにおいて、
前記遊技機の稼働・非稼働を判定する稼働状況判定手段を備え、
前記情報表示装置は、
各遊技場における会員を個々に識別可能な会員識別情報が記録され、当該会員が会員登録を行った遊技場にて発行される会員用記録媒体を受付けて、該会員用記録媒体に記録されている前記会員識別情報を含む記録情報を少なくとも読み出す会員記録媒体読み出し手段と、
前記管理サーバへの前記詳細情報送信サービスの利用登録を行った登録利用者に付与される記録媒体を受付けて、該受付けた記録媒体に記憶されている当該記録媒体を個々に識別可能な記録媒体識別情報を読み取る記録媒体読取手段と、
を有し、
前記管理サーバは、
各遊技場に設置された前記情報表示装置にデータ通信可能に接続され、
各遊技場の前記会員識別情報に対応付けて当該会員の電子メールアドレスを少なくとも含む会員情報を管理し、前記記録媒体識別情報に対応付けて該記録媒体識別情報が記憶された記録媒体が付与された登録利用者の電子メールアドレスを管理するとともに、前記告知情報を特定可能な告知情報特定情報に対応付けて当該告知情報に関する詳細情報を特定可能な詳細情報特定情報を記憶し、
前記情報表示装置は、前記会員用記録媒体を前記会員記録媒体読み出し手段に受付けているときに、詳細情報を要求するための所定操作を会員から受付けたことに基づいて、当該操作時点において前記表示手段に表示している告知情報の告知情報特定情報と該受付けている会員用記録媒体の会員識別情報とを含む詳細情報配信要求を前記管理サーバに送信し、前記会員用記録媒体を前記会員記録媒体読み出し手段に受付けていないときに、前記記録媒体読取手段にて記録媒体を受付けたことに基づいて、該操作時点において前記表示手段に表示している告知情報の告知情報特定情報と該受付けた記録媒体から読み取った記録媒体識別情報とを含む詳細情報配信要求を前記管理サーバに送信し、
前記管理サーバは、前記詳細情報配信要求を受信したことを条件として、該受信した詳細情報配信要求に含まれる告知情報特定情報に対応付けて記憶されている詳細情報特定情報から特定される詳細情報を含む電子メールを、該受信した詳細情報配信要求に含まれる会員識別情報若しくは記録媒体識別情報に対応付けて管理されている電子メールアドレスに対して送信するための処理を行い、
前記情報表示装置は、
前記表示手段に表示する前記告知情報の種類および／または表示順序が、対応する遊技機が稼働状態であることに適応するように設定された稼働用決定テーブル並びに非稼働状態であることに適応するように設定された非稼働用決定テーブルを記憶するテーブル記憶手段と、
前記表示手段に表示する前記告知情報の種類および／または表示順序を、前記稼働状況判定手段による判定結果が稼働状態であるときにおいては前記稼働用決定テーブルを用いて決定し、前記稼働状況判定手段による判定結果が非稼働状態であるときにおいては前記非稼働用決定テーブルを用いて決定する決定手段と、
を有し、該決定手段にて決定した告知情報を前記表示手段に表示する。
【０２７９】
本発明の請求項３は、
前記詳細情報（詳細テキストデータ）を、前記電子メール（詳細メール）にて送信するか或いは前記表示手段（表示部３１２）に表示するかを各詳細情報毎に設定する提供形態設定手段（管理サーバ１４；ＣＭ情報設定画面）を備え、
前記情報表示装置（カードユニット３）は、前記提供形態設定手段にて前記表示手段に表示する設定がなされた詳細情報を取得する詳細情報取得手段（制御ユニット３２８；起動処理）と、前記所定操作の操作時点において前記表示手段に表示している告知情報（告知映像）に対応する詳細情報が、前記提供形態設定手段により前記表示手段に表示する設定がなされた詳細情報であるときには、該詳細情報を前記表示手段に表示する。
【０２８０】
本発明の請求項４は、
各告知情報（告知映像）の告知を行う会員に関する告知条件を記憶する告知条件記憶手段（ＲＡＭ３２８ｂ；ＣＭデータテーブル）をさらに備え、
前記会員記録媒体読み出し手段（内部カードリーダライタ３２７）に受付けている前記会員用記録媒体（会員カード）の会員識別情報（会員カードＩＤ）に対応付けて前記管理サーバ１４にて管理されている会員情報が前記告知条件記憶手段にて記憶されている告知条件に合致する告知情報を、当該会員に告知する会員告知情報として特定する会員告知情報特定手段（制御ユニット３２８、Ｓｃ９；会員ＣＭ表示順序データ更新処理）を備え、
前記情報表示装置（カードユニット３）は、前記会員告知情報特定手段にて特定された会員告知情報を前記表示手段（表示部３１２）に表示する。
【０２８１】
本発明の請求項５は、
前記情報表示装置（カードユニット３）は、インターネット接続機能を有する携帯端末（携帯電話機５）を受付けて、該受付けた携帯端末とのデータ通信を行う携帯端末通信手段（外部カードリーダライタ３３０）を備え、
前記情報表示装置は、前記携帯端末通信手段に前記携帯端末を受付けたことに基づいて、当該受付時点において表示している告知情報（告知映像）の詳細情報が公開されているホームページへのアクセスを可能とするアクセス情報（ＵＲＬ）を、該受付けた携帯端末に前記携帯端末通信手段を通じて送信する。
本発明の請求項６は、
前記管理サーバは、新たに管理される電子メールアドレスが既に会員識別情報または記録媒体識別情報に対応付けて記憶されているか否かを判定し、既に記憶されていると判定したときには、該記憶されている会員識別情報または記録媒体識別情報に対応付けて新たな記録媒体識別情報または会員識別情報を記憶する。
【図面の簡単な説明】
【０２８２】
【図１】本発明の実施例における情報提供システムの構成を示すシステムブロック図である。
【図２】本発明の実施例において用いたカードユニットとパチンコ機を示す正面図である。
【図３】本発明の実施例において用いたカードユニットの構成を示すブロック図である。
【図４】（ａ）は、本発明の実施例に用いたカードユニット３における情報テーブルを示す図であり、（ｂ）は、本発明の実施例に用いたカードユニット３におけるＣＭデータテーブルを示す図であり、（ｃ）は、本発明の実施例に用いたカードユニット３における受付け会員情報を示す図である、（ｄ）は、本発明の実施例に用いたカードユニット３における非稼働ＣＭ表示順序データを示す図であり、（ｅ）は、本発明の実施例に用いたカードユニット３におけるビジターＣＭ表示順序データを示す図であり、（ｆ）は、本発明の実施例に用いたカードユニット３における会員ＣＭ表示順序データを示す図である。
【図５】本発明の実施例において用いたシステムコントローラ１１０の構成を示すブロック図である。
【図６】本発明の実施例において用いたシステムコントローラ１１０におけるカード管理テーブルを示す図である。
【図７】（ａ）は、本発明の実施例において用いたシステムコントローラ１１０における会員データテーブルを示す図であり、（ｂ）は、ユニット管理テーブルを示す図であり、（ｃ）は、ＣＭデータテーブルを示す図である。
【図８】本発明の実施例において用いた管理サーバ１４の構成を示すブロック図である。
【図９】（ａ）は、本発明の実施例において用いた管理サーバ１４におけるＣＭ情報テーブルを示す図であり、（ｂ）は、タグ情報テーブルを示す図である。
【図１０】（ａ）は、本発明の実施例において用いた管理サーバ１４における遊技場別会員情報データベースを示す図であり、（ｂ）は、遊技場情報テーブルを示す図である。
【図１１】本発明の実施例において用いた管理サーバ１４におけるカード管理データベース（ＤＢ）を示す図である。
【図１２】本発明の実施例における情報提供システムにおける各情報の送受状況を示す図である。
【図１３】本発明の実施例に用いたカードユニットにおける処理内容を示すフロー図である。
【図１４】本発明の実施例に用いたカードユニットにおけるカード受付け処理の処理内容を示すフロー図である。
【図１５】本発明の実施例に用いたカードユニットにおける第１貸出処理の処理内容を示すフロー図である。
【図１６】本発明の実施例に用いたカードユニットにおける入金処理の処理内容を示すフロー図である。
【図１７】本発明の実施例に用いたカードユニットにおける返却・発行処理の処理内容を示すフロー図である。
【図１８】本発明の実施例に用いたカードユニットにおける再プレイ処理の処理内容を示すフロー図である。
【図１９】本発明の実施例に用いたカードユニットにおける第２貸出処理の処理内容を示すフロー図である。
【図２０】本発明の実施例に用いたカードユニットにおける第２入金処理の処理内容を示すフロー図である。
【図２１】本発明の実施例に用いたカードユニットにおける割込監視処理の処理内容を示すフロー図である。
【図２２】本発明の実施例に用いたカードユニットにおける告知映像更新処理の処理内容を示すフロー図である。
【図２３】本発明の実施例に用いたカードユニットにおける詳細情報提供処理の処理内容を示すフロー図である。
【図２４】本発明の実施例に用いたカードユニットにおける非稼働判定タイマリセット処理の処理内容を示すフロー図である。
【図２５】本発明の実施例に用いたカードユニットにおける稼働情報更新処理の処理内容を示すフロー図である。
【図２６】（ａ）〜（ｃ）は、本発明の実施例に用いたカードユニットにおける表示部の表示内容を示す図である。
【図２７】（ａ）〜（ｄ）は、本発明の実施例に用いたカードユニットにおける表示部の表示内容を示す図である。
【図２８】本発明の実施例に用いた管理サーバにおけタグ情報テーブル更新処理の処理内容を示すフロー図である。
【図２９】本発明の実施例に用いた管理サーバにおける詳細メール送信処理の処理内容を示すフロー図である。
【図３０】本発明の実施例に用いた管理サーバにおいて表示されるＣＭ情報設定画面を示す図である。
【図３１】本発明の実施例に用いたシステムコントローラにおいて表示されるＣＭ登録画面を示す図である。
【図３２】本発明の実施例に用いた管理サーバにおける会員情報データベース更新処理の処理内容を示すフロー図である。
【符号の説明】
【０２８３】
３      カードユニット
５      携帯電話機
１４    管理サーバ
１６    広告管理サーバ
１１０  システムコントローラ
３０９  カード挿入口
３１２  表示部
３２７  内部カードリーダライタ
３２８  制御ユニット
３３０  外部カードリーダライタ
３３２  電子マネー通信部
【図１】
0004825016.tif 000002
【図２】
0004825016.tif 000003
【図３】
0004825016.tif 000004
【図４】
0004825016.tif 000005
【図５】
0004825016.tif 000006
【図６】
0004825016.tif 000007
【図７】
0004825016.tif 000008
【図８】
0004825016.tif 000009
【図９】
0004825016.tif 000010
【図１０】
0004825016.tif 000011
【図１１】
0004825016.tif 000012
【図１２】
0004825016.tif 000013
【図１３】
0004825016.tif 000014
【図１４】
0004825016.tif 000015
【図１５】
0004825016.tif 000016
【図１６】
0004825016.tif 000017
【図１７】
0004825016.tif 000018
【図１８】
0004825016.tif 000019
【図１９】
0004825016.tif 000020
【図２０】
0004825016.tif 000021
【図２１】
0004825016.tif 000022
【図２２】
0004825016.tif 000023
【図２３】
0004825016.tif 000024
【図２４】
0004825016.tif 000025
【図２５】
0004825016.tif 000026
【図２６】
0004825016.tif 000027
【図２７】
0004825016.tif 000028
【図２８】
0004825016.tif 000029
【図２９】
0004825016.tif 000030
【図３０】
0004825016.tif 000031
【図３１】
0004825016.tif 000032
【図３２】
0004825016.tif 000033